(57)【特許請求の範囲】
【請求項１】
コンテンツを取得する取得手段と、
コンテンツを表示手段に表示させる表示制御手段と、
コンテンツを視聴するユーザが周囲に存在するかどうかを検出するユーザ検出手段と、
コンテンツを表示させる他の表示制御装置との間の通信を制御する通信制御手段と、
前記他の表示制御装置によってコンテンツが表示されている場合において、ユーザが前記他の表示制御装置の周囲に存在しなくなったときに、前記他の表示制御装置から送信されてくる、ユーザが存在しない旨の不在情報を、前記通信制御手段が受信した場合、自分自身の電源がオフであるかまたは省電力モードである状態であるときにのみ、前記省電力モードの状態とし、前記不在情報が受信された後、前記省電力モードである状態で、前記ユーザ検出手段において、ユーザが存在することが検出された場合に、前記不在情報を送信してきた前記他の表示制御装置によって表示されていたコンテンツを、前記取得手段に取得させ、前記表示手段に表示させる制御手段と
を備える表示制御装置。
【請求項２】
前記通信制御手段は、前記表示手段にコンテンツが表示されている場合に、前記ユーザ検出手段において、ユーザが存在しないことが検出されたとき、ユーザが存在しない旨の他の不在情報を、前記他の表示制御装置に送信する
請求項１に記載の表示制御装置。
【請求項３】
前記他の表示制御装置は、前記他の表示制御装置によってコンテンツが表示されている場合に、ユーザが前記他の表示制御装置の周囲に存在しなくなったときに、記録媒体に、前記他の表示制御装置によって表示されていたコンテンツを記録させる記録制御を行い、
前記制御手段は、前記他の表示制御装置からの前記不在情報を、前記通信制御手段が受信した後、前記ユーザ検出手段において、ユーザが存在することが検出された場合に、前記不在情報を送信してきた前記他の表示制御装置の前記記録制御によって前記記録媒体に記録されたコンテンツを再生させ、前記表示手段に表示させる
請求項１に記載の表示制御装置。
【請求項４】
前記表示手段に、前記取得手段が取得したコンテンツが表示されている場合に、前記ユーザ検出手段において、ユーザが存在しないことが検出されたとき、記録媒体に、前記表示手段に表示されていたコンテンツを記録させる
請求項３に記載の表示制御装置。
【請求項５】
前記ユーザ検出手段は、さらに、ユーザの視線をも検出し、
前記制御手段は、前記他の表示制御装置からの前記不在情報を、前記通信制御手段が受信した後、前記ユーザ検出手段において、ユーザが存在することが検出され、ユーザの視線が、所定の時間以上連続して、前記表示手段の方向を向いている場合に、前記不在情報を送信してきた前記他の表示制御装置の前記記録制御によって前記記録媒体に記録されたコンテンツを再生させ、前記表示手段に表示させる
請求項３に記載の表示制御装置。
【請求項６】
前記他の表示制御装置は、前記他の表示制御装置によって、記録媒体から再生されたコンテンツが表示されている場合に、ユーザが前記他の表示制御装置の周囲に存在しなくなったときに、前記記録媒体からのコンテンツの再生を停止させる停止制御を行い、
前記制御手段は、前記他の表示制御装置からの前記不在情報を、前記通信制御手段が受信した後、前記ユーザ検出手段において、ユーザが存在することが検出された場合に、前記不在情報を送信してきた前記他の表示制御装置の前記停止制御によって停止された、前記記録媒体からのコンテンツの再生を再開させ、前記表示手段に表示させる
請求項１に記載の表示制御装置。
【請求項７】
前記表示手段に、記録媒体から再生されたコンテンツが表示されている場合に、前記ユーザ検出手段において、ユーザが存在しないことが検出されたとき、前記記録媒体からのコンテンツの再生を停止させる
請求項６に記載の表示制御装置。
【請求項８】
コンテンツを取得する取得手段と、
コンテンツを表示手段に表示させる表示制御手段と、
コンテンツを視聴するユーザが周囲に存在するかどうかを検出するユーザ検出手段と、
コンテンツを表示させる他の表示制御装置との間の通信を制御する通信制御手段と、
前記他の表示制御装置によってコンテンツが表示されている場合において、ユーザが前記他の表示制御装置の周囲に存在しなくなったときに、前記他の表示制御装置から送信されてくる、ユーザが存在しない旨の不在情報を、前記通信制御手段が受信した場合、自分自身の電源がオフであるかまたは省電力モードである状態であるときにのみ、前記省電力モードの状態とし、前記不在情報が受信された後、前記省電力モードである状態で、前記ユーザ検出手段において、ユーザが存在することが検出された場合に、前記不在情報を送信してきた前記他の表示制御装置によって表示されていたコンテンツを、前記取得手段に取得させ、前記表示手段に表示させる制御手段と
を有する表示制御装置と、
コンテンツを取得する他の取得手段と、
コンテンツを他の表示手段に表示させる他の表示制御手段と、
コンテンツを視聴するユーザが周囲に存在するかどうかを検出する他のユーザ検出手段と、
前記表示制御装置との間の通信を制御し、前記他の表示手段にコンテンツが表示されている場合に、前記他のユーザ検出手段において、ユーザが存在しないことが検出されたとき、前記不在情報を、前記表示制御装置に送信する他の通信制御手段と
を有する他の表示制御装置と
を備える表示制御システム。
【発明の詳細な説明】
【技術分野】
【０００１】
本発明は、表示制御装置、及び、表示制御システムに関し、特に、例えば、テレビジョン放送番組等のコンテンツを表示するTV（テレビジョン受像機）等の装置の利便性を向上させることができるようにする表示制御装置、及び、表示制御システムに関する。
【背景技術】
【０００２】
例えば、TVでは、テレビジョン放送番組等のコンテンツが受信され、液晶パネル等の表示パネルに表示される。
【０００３】
いま、TVにおいて、表示パネルへのコンテンツの表示等の通常の動作が行われる動作モードを、通常モードということとする。近年のTVには、表示パネルのバックライト等の一部のブロックへの電力の供給を制限することで、あるいは、必要最低限のブロックのみへの電力の供給を行うことで、省電力化を図る省電力モードが、動作モードの１つとして設けられていることがある。
【０００４】
省電力モードは、通常モードよりも、消費電力が小さい（少ない）動作モードであり、動作モードが、必要に応じて、通常モードから省電力モードに変更されることで、無駄な電力の消費を防止（低減）することができる。
【０００５】
例えば、ユーザ（人）の不在を検出すると、動作モードを、通常モードから省電力モードに変更する機能を有するTVが提案されている（例えば、特許文献１を参照）。
【先行技術文献】
【特許文献】
【０００６】
【特許文献１】特開2002-218343号公報
【発明の概要】
【発明が解決しようとする課題】
【０００７】
ユーザの不在を検出して、動作モードを、通常モードから省電力モードに変更する機能は、TV単体の機能であり、他のTVとの連動を考慮した機能ではないため、他のTVと相俟って、利便性を向上させることは困難である。
【０００８】
一方、例えば、リビングルームにあるTVで、コンテンツを視聴していたユーザが、寝室等の他の部屋に移動したときに、その寝室にあるTVにおいて、リビングルームのTVで視聴していたコンテンツが、自動的に表示されれば便利である。
【０００９】
本発明は、このような状況に鑑みてなされたものであり、TV等のコンテンツを表示する装置等の利便性を向上させることができるようにするものである。
【課題を解決するための手段】
【００１０】
本発明の第１の側面の表示制御装置は、コンテンツを取得する取得手段と、コンテンツを表示手段に表示させる表示制御手段と、コンテンツを視聴するユーザが周囲に存在するかどうかを検出するユーザ検出手段と、コンテンツを表示させる他の表示制御装置との間の通信を制御する通信制御手段と、前記他の表示制御装置によってコンテンツが表示されている場合において、ユーザが前記他の表示制御装置の周囲に存在しなくなったときに、前記他の表示制御装置から送信されてくる、ユーザが存在しない旨の不在情報を、前記通信制御手段が受信した場合、自分自身の電源がオフであるかまたは省電力モードである状態であるときにのみ、前記省電力モードの状態とし、前記不在情報が受信された後、前記省電力モードである状態で、前記ユーザ検出手段において、ユーザが存在することが検出された場合に、前記不在情報を送信してきた前記他の表示制御装置によって表示されていたコンテンツを、前記取得手段に取得させ、前記表示手段に表示させる制御手段とを備える表示制御装置である。
【００１１】
本発明の第２の側面の表示制御システムは、コンテンツを取得する取得手段と、コンテンツを表示手段に表示させる表示制御手段と、コンテンツを視聴するユーザが周囲に存在するかどうかを検出するユーザ検出手段と、コンテンツを表示させる他の表示制御装置との間の通信を制御する通信制御手段と、前記他の表示制御装置によってコンテンツが表示されている場合において、ユーザが前記他の表示制御装置の周囲に存在しなくなったときに、前記他の表示制御装置から送信されてくる、ユーザが存在しない旨の不在情報を、前記通信制御手段が受信した場合、自分自身の電源がオフであるかまたは省電力モードである状態であるときにのみ、前記省電力モードの状態とし、前記不在情報が受信された後、前記省電力モードである状態で、前記ユーザ検出手段において、ユーザが存在することが検出された場合に、前記不在情報を送信してきた前記他の表示制御装置によって表示されていたコンテンツを、前記取得手段に取得させ、前記表示手段に表示させる制御手段とを有する表示制御装置と、コンテンツを取得する他の取得手段と、コンテンツを他の表示手段に表示させる他の表示制御手段と、コンテンツを視聴するユーザが周囲に存在するかどうかを検出する他のユーザ検出手段と、前記表示制御装置との間の通信を制御し、前記他の表示手段にコンテンツが表示されている場合に、前記他のユーザ検出手段において、ユーザが存在しないことが検出されたとき、前記不在情報を、前記表示制御装置に送信する他の通信制御手段とを有する他の表示制御装置とを備える表示制御システムである。
【００１３】
本発明の第１の側面の表示制御装置においては、コンテンツが取得されて、表示手段に表示される。また、コンテンツを視聴するユーザが周囲に存在するかどうかが検出され、コンテンツを表示させる他の表示制御装置との間で通信が行われる。そして、前記他の表示制御装置によってコンテンツが表示されている場合において、ユーザが前記他の表示制御装置の周囲に存在しなくなったときに、前記他の表示制御装置から送信されてくる、ユーザが存在しない旨の不在情報が受信され、自分自身の電源がオフであるかまたは省電力モードである状態であるときにのみ、前記省電力モードの状態とされる。前記不在情報が受信された後、前記省電力モードである状態で、ユーザが存在することが検出された場合、前記不在情報を送信してきた前記他の表示制御装置によって表示されていたコンテンツが取得されて、前記表示手段に表示される。
【００１４】
本発明の第２の側面の表示制御システムにおいては、表示制御装置では、前記他の表示制御装置によってコンテンツが表示されている場合において、ユーザが前記他の表示制御装置の周囲に存在しなくなったときに、前記他の表示制御装置から送信されてくる、ユーザが存在しない旨の不在情報が受信され、自分自身の電源がオフであるかまたは省電力モードである状態であるときにのみ、前記省電力モードの状態とされる。前記不在情報が受信された後、前記省電力モードである状態で、ユーザが存在することが検出された場合、前記不在情報を送信してきた前記他の表示制御装置によって表示されていたコンテンツが取得されて、前記表示手段に表示される。一方、他の表示制御装置では、コンテンツが表示されている場合に、ユーザが存在しないことが検出されたとき、前記不在情報が、前記表示制御装置に送信される。
【００１６】
なお、表示制御装置は、独立した装置であっても良いし、１つの装置を構成している内部ブロックであっても良い。
【発明の効果】
【００１７】
本発明の第１及び第２の側面によれば、装置の利便性を向上させることができる。
【図面の簡単な説明】
【００１８】
【図１】本発明を適用したホームネットワークシステムの一実施の形態の構成例を示す図である。
【図２】レコーダ１１の構成例を示すブロック図である。
【図３】ディジタルTV１２の構成例を示すブロック図である。
【図４】ディジタルTV１３の構成例を示すブロック図である。
【図５】携帯端末２１の第１の構成例を示すブロック図である。
【図６】ホームネットワークシステムで行われる復帰モード#1の復帰処理を説明する図である。
【図７】ホームネットワークシステムで行われる復帰モード#1の復帰処理を説明する図である。
【図８】復帰モード#1の復帰処理において、ディジタルTV１２が行う処理を説明するフローチャートである。
【図９】ホームネットワークシステムで行われる復帰モード#2の復帰処理を説明する図である。
【図１０】ホームネットワークシステムで行われる復帰モード#2の復帰処理を説明する図である。
【図１１】復帰モード#2の復帰処理において、ディジタルTV１２が行う処理を説明するフローチャートである。
【図１２】復帰モード#2の復帰処理において、レコーダ１１が行う処理を説明するフローチャートである。
【図１３】ホームネットワークシステムで行われる復帰モード#3の復帰処理を説明する図である。
【図１４】ホームネットワークシステムで行われる復帰モード#3の復帰処理を説明する図である。
【図１５】復帰モード#3の復帰処理において、ディジタルTV１２が行う処理を説明するフローチャートである。
【図１６】復帰モード#3の復帰処理において、レコーダ１１が行う処理を説明するフローチャートである。
【図１７】携帯端末２１の第２の構成例を示すブロック図である。
【図１８】ホームネットワークシステムで行われる復帰モード#1の復帰処理を説明する図である。
【図１９】復帰モード#1の復帰処理において、携帯端末２１が行う処理を説明するフローチャートである。
【図２０】ホームネットワークシステムで行われる復帰モード#2の復帰処理を説明する図である。
【図２１】復帰モード#2の復帰処理において、携帯端末２１が行う処理を説明するフローチャートである。
【図２２】ホームネットワークシステムで行われる復帰モード#3の復帰処理を説明する図である。
【図２３】復帰モード#3の復帰処理において、携帯端末２１が行う処理を説明するフローチャートである。
【図２４】携帯端末２１の第３の構成例を示すブロック図である。
【図２５】携帯端末２１が行うデバイス情報収集処理を説明する図である。
【図２６】携帯端末２１の入出力機構６３Ａに表示される表示画面の例を示す図である。
【図２７】機器リストの例を示す図である。
【図２８】携帯端末２１の処理を説明するフローチャートである。
【発明を実施するための形態】
【００１９】
［本発明を適用したホームネットワークシステムの一実施の形態］
【００２０】
図１は、本発明を適用したホームネットワークシステム（システムとは、複数の装置が論理的に集合した物をいい、各構成の装置が同一筐体中にあるか否かは、問わない）の一実施の形態の構成例を示す図である。
【００２１】
図１において、ホームネットワークシステムは、レコーダ１１、ディジタルTV（ディジタルテレビジョン受像機）１２及び１３、アクセスポイント１４、並びに、携帯端末２１を有する。
【００２２】
ネットワーク１０は、例えば、有線LAN(Local Area Network)であり、ネットワーク１０には、レコーダ１１、ディジタルTV１２及び１３、アクセスポイント１４が接続されている。レコーダ１１、ディジタルTV１２及び１３、アクセスポイント１４は、ネットワーク１０を介して、相互に通信を行うことができる。
【００２３】
レコーダ１１は、コンテンツの録画、及び、再生を行う録画再生機能を有する、例えば、HD(Hard Disk)レコーダであり、地上波や、衛星回線、CATV(Cable Television)等を介して、あるいは、インターネット上のサーバ等から送信されてくるテレビジョン放送番組等のコンテンツを受信し、必要に応じて記録（録画）する。
【００２４】
また、レコーダ１１は、録画を行ったコンテンツを再生し、ネットワーク１０を介して、ディジタルTV１２や１３に送信する。
【００２５】
ディジタルTV１２及び１３は、レコーダ１１と同様に、コンテンツを受信し、そのコンテンツ（に対応する画像）を表示する。
【００２６】
なお、レコーダ１１、ディジタルTV１２及び１３それぞれどうしの間では、地上波等を介して受信したコンテンツを、ネットワーク１０を介して、相互にやりとりすることができる。
【００２７】
アクセスポイント１４は、無線LANの通信が可能なクライアント（無線LANクライアント）どうしを接続する中継器、及び、無線LANと有線LANとを接続するブリッジとして機能する。
【００２８】
したがって、無線LANクライアントは、アクセスポイント１４を経由して、有線LANであるネットワーク１０に接続しているレコーダ１１や、ディジタルTV１２及び１３と通信することができる。
【００２９】
携帯端末２１は、ユーザが携帯可能な小型の端末(PDA(Personal Digital Assistant))であり、レコーダ１１、ディジタルTV１２及び１３等の電子機器を遠隔制御するリモートコマンダ（遠隔制御装置）としての機能、並びに、図１では、無線LANクライアントとしての機能を、少なくとも有する。
【００３０】
携帯端末２１は、ユーザの操作等に応じて、レコーダ１１や、ディジタルTV１２及び１３に所定の処理を行わせるコマンド等を、無線LANによって送信する。
【００３１】
携帯端末２１が送信するコマンド等は、アクセスポイント１４、及び、ネットワーク１０を経由して、レコーダ１１や、ディジタルTV１２及び１３に送信される。
【００３２】
なお、携帯端末２１では、レコーダ１１や、ディジタルTV１２及び１３に対するコマンドを、赤外線や、Bluetooth（登録商標）等の、無線LAN以外の方法によって送信する機能を持っていても良い。
【００３３】
以上のように構成されるホームネットワークシステムでは、例えば、ユーザが、携帯端末２１を操作すると、携帯端末２１は、その操作に対応するコマンドを送信する。
【００３４】
携帯端末２１からのコマンドは、アクセスポイント１４、及び、ネットワーク１０を経由して、レコーダ１１や、ディジタルTV１２及び１３に送信され、レコーダ１１や、ディジタルTV１２及び１３では、携帯端末２１からのコマンドに従い、電源のオン／オフや、チャンネルの選択、音量の調整等の所定の処理が行われる。
【００３５】
なお、図１では、１台のレコーダであるレコーダ１１と、２台のTVであるディジタルTV１２及び１３とが、ネットワーク１０に接続されているが、ネットワーク１０に接続するレコーダとTVの台数は、これに限定されるものではない。
【００３６】
また、図１では、レコーダ１１は、ネットワーク１０を介して、ディジタルTV１２及び１３と接続されているが、レコーダ１１は、ディジタルTV１２又は１３に、直接接続することができる。
【００３７】
さらに、ディジタルTV１２や１３には、レコーダ１１の機能である録画再生機能を持たせることができる。この場合、以下で説明するレコーダ１１の処理は、録画再生機能を有するディジタルTV１２や１３で行うことができる。
【００３８】
ここで、図１において、レコーダ１１、及び、ディジタルTV１２は、例えば、ユーザの家のリビングルーム等の部屋Aに設置されている。また、ディジタルTV１３は、部屋Aとは異なる、例えば、寝室等の部屋Bに設置されている。
【００３９】
図１のホームネットワークシステムでは、以下のような復帰処理が行われる。
【００４０】
復帰処理とは、コンテンツを視聴しているユーザが、コンテンツの視聴を中断する行動をとり、その後、コンテンツを視聴することができる状態となった場合に、コンテンツの提示（表示）の状態を、コンテンツの視聴の中断時の状態になるべく近づけるように復帰させる（再現する）処理であり、本実施の形態では、３つの復帰モード#1,#2,#3の復帰処理がある。
【００４１】
復帰モード#1では、例えば、あるチャンネルで放送されているコンテンツを視聴しているユーザが、コンテンツの視聴を中断する行動をとり、その後、ユーザがコンテンツを視聴することができる状態となった場合に、視聴を中断したコンテンツを放送していたチャンネルで（現に）放送されているコンテンツが提示される。
【００４２】
復帰モード#2では、例えば、あるチャンネルで放送されているコンテンツを視聴しているユーザが、コンテンツの視聴を中断する行動をとった場合に、コンテンツの視聴の中断時から、そのコンテンツの録画を開始し、その後、ユーザがコンテンツを視聴することができる状態となった場合に、録画がされたコンテンツが再生される。
【００４３】
復帰モード#3では、録画がされたコンテンツを視聴しているユーザが、コンテンツの視聴を中断する行動をとった場合に、録画がされたコンテンツの再生を中断し、その後、ユーザがコンテンツを視聴することができる状態となった場合に、録画がされたコンテンツの再生が再開される。
【００４４】
［レコーダ１１の構成例］
【００４５】
図２は、図１のレコーダ１１の構成例を示すブロック図である。
【００４６】
図２において、レコーダ１１は、CPU(Central Processing Unit)３１、メモリ３２、入出力I/F(Interface)３３、ネットワークI/F３４、受信部３５、記録再生制御部３６、及び、記録媒体３７が、バスを介して相互に接続されて構成されている。
【００４７】
CPU３１は、メモリ３２に記憶されたプログラムを実行することで、レコーダ１１を構成する各ブロックの制御その他の各種の処理を行う。
【００４８】
メモリ３２は、CPU３１の動作上必要なデータ等を記憶する。
【００４９】
入出力I/F３３は、外部との間の入出力を制御するインターフェースであり、そこには、図示せぬボタン（キーボード）や、表示パネル、スピーカ等の、外部との間の入出力を行うためのデバイスが接続される。
【００５０】
ネットワークI/F３４は、有線LAN等の有線のネットワーク１０との間の通信を制御するインターフェースであり、ネットワーク１０を接続される。
【００５１】
ネットワークI/F３４は、ネットワーク１０を介して、ディジタルTV１２や１３との間の通信を制御し、さらに、アクセスポイント１４を経由して、携帯端末２１との間の通信を制御する。
【００５２】
受信部３５は、例えば、TVチューナであり、受信部３５には、地上波等のテレビジョン放送信号が供給される。
【００５３】
受信部３５は、そこに供給されるテレビジョン放送信号を受信し、そのテレビジョン放送信号のうちの、所定のチャンネルのテレビジョン放送信号を抽出することにより、所定のチャンネルのテレビジョン放送番組（の画像及び音声データ）であるコンテンツを取得して、記録再生制御部３６に供給する。
【００５４】
記録再生制御部３６は、記録媒体３７に対するコンテンツの記録と再生を制御する。
【００５５】
すなわち、記録再生制御部３６は、受信部３５からのコンテンツを、記録媒体３７に記録（録画）する。また、記録再生制御部３６は、記録媒体３７から、そこに記録されたコンテンツを再生する。
【００５６】
ここで、記録媒体３７から再生されたコンテンツは、ネットワークI/F３４から、ネットワーク１０を介して、ディジタルTV１２や１３に送信することができる。
【００５７】
また、受信部３５で取得されたコンテンツは、記録再生制御部３６によって、記録媒体３７に記録する他、ネットワークI/F３４から、ネットワーク１０を介して、ディジタルTV１２や１３に送信することができる。
【００５８】
さらに、記録再生制御部３６では、ディジタルTV１２や１３が、後述するようにして、ネットワーク１０を介して送信してくるコンテンツを、ネットワークI/F３４を経由して受信し、記録媒体３７に記録することができる。
【００５９】
記録媒体３７は、例えば、HDや、半導体メモリで構成される。記録媒体３７には、記録再生制御部３６の制御によって、コンテンツが記録される。
【００６０】
なお、CPU３１が実行するプログラムは、メモリ３２にあらかじめ記憶（記録）しておく他、光ディスクや、光磁気ディスク、磁気ディスク、半導体メモリ等のリムーブバブルなリムーバブル記録媒体に記録し、そのリムーバブル記録媒体から、レコーダ１１にインストールすることができる。
【００６１】
また、CPU３１が実行するプログラムは、例えば、インターネット上のサーバからダウンロードし、あるいは、テレビジョン放送信号に含めて送信し、レコーダ１１にインストールすることができる。
【００６２】
［ディジタルTV１２及び１３の構成例］
【００６３】
図３は、図１のディジタルTV１２の構成例を示すブロック図である。
【００６４】
図３において、ディジタルTV１２は、CPU４１、メモリ４２、入出力I/F４３、ネットワークI/F４４、受信部４５、デコーダ４６、表示制御部４７、表示部４８、及び、検出部４９を有する。CPU４１ないし検出部４９のうちの、表示部４８を除くブロックは、バスを介して相互に接続されている。
【００６５】
CPU４１は、メモリ４２に記憶されたプログラムを実行することで、ディジタルTV１２を構成する各ブロックの制御その他の各種の処理を行う。
【００６６】
メモリ４２は、CPU４１の動作上必要なデータ等を記憶する。
【００６７】
入出力I/F４３は、外部との間の入出力を制御するインターフェースであり、そこには、図示せぬボタン（キーボード）等の、外部との間の入出力を行うためのデバイスが接続される。
【００６８】
ネットワークI/F４４は、有線LAN等の有線のネットワーク１０との間の通信を制御するインターフェースであり、ネットワーク１０を接続される。
【００６９】
ネットワークI/F４４は、ネットワーク１０を介して、レコーダ１１や、ディジタルTV１３との間の通信を制御し、さらに、アクセスポイント１４を経由して、携帯端末２１との間の通信を制御する。
【００７０】
受信部４５は、例えば、TVチューナであり、受信部４５には、地上波等のテレビジョン放送信号が供給される。
【００７１】
受信部４５は、そこに供給されるテレビジョン放送信号を受信し、そのテレビジョン放送信号のうちの、所定のチャンネルのテレビジョン放送信号を抽出することにより、所定のチャンネルのテレビジョン放送番組であるコンテンツを取得して、デコーダ４６に供給する。
【００７２】
ここで、受信部４５が取得したコンテンツは、デコーダ４６に供給する他、ネットワークI/F４４から、ネットワーク１０を介して、レコーダ１１やディジタルTV１３に送信することができる。
【００７３】
デコーダ４６は、受信部４５からのコンテンツがエンコードされていない場合には、そのコンテンツを、そのまま、表示制御部４７に供給する。また、デコーダ４６は、受信部４５からのコンテンツがエンコードされている場合には、そのコンテンツのデコードを行い、表示制御部４７に供給する。
【００７４】
ここで、デコーダ４６には、受信部４５からのコンテンツの他、レコーダ１１やディジタルTV１３が、ネットワーク１０を介して送信してくるコンテンツを、ネットワークI/F４４で受信し、供給することができる。
【００７５】
表示制御部４７は、デコーダ４６からのコンテンツ（の画像）を、表示部４７に表示させる表示制御を行う。
【００７６】
表示部４８は、例えば、液晶パネルや、有機EL(Electro Luminescence)パネル等で構成され、表示制御部４７の制御に従い、コンテンツ等を表示する。
【００７７】
検出部４９は、コンテンツを視聴するユーザが（ディジタルTV１２の）周囲に存在するかどうかを検出する。
【００７８】
ここで、検出部４９では、例えば、カメラによって周囲を撮影し、その撮影によって得られる画像に画像処理を施すことによって、ユーザが周囲に存在するかどうかを検出することができる。カメラで撮影された画像に画像処理を施すことによって、ユーザが存在するかどうかを検出する場合には、ユーザが存在することが検出されたときに、さらに、顔認識（人物認識）を行い、ユーザを特定することもできる。
【００７９】
その他、検出部４９では、例えば、振動センサや、超音波センサ、赤外線焦電センサ等を用いて、ユーザが存在するかどうかを検出することができる。
【００８０】
なお、CPU４１が実行するプログラムは、メモリ４２にあらかじめ記憶（記録）しておく他、光ディスクや、光磁気ディスク、磁気ディスク、半導体メモリ等のリムーブバブルなリムーバブル記録媒体に記録し、そのリムーバブル記録媒体から、ディジタルTV１２にインストールすることができる。
【００８１】
また、CPU４１が実行するプログラムは、例えば、インターネット上のサーバからダウンロードし、あるいは、テレビジョン放送信号に含めて送信し、ディジタルTV１２にインストールすることができる。
【００８２】
図４は、図１のディジタルTV１３の構成例を示すブロック図である。
【００８３】
図４において、ディジタルTV１３は、CPU５１、メモリ５２、入出力I/F５３、ネットワークI/F５４、受信部５５、デコーダ５６、表示制御部５７、表示部５８、及び、検出部５９を有する。
【００８４】
CPU５１ないし検出部５９は、図３のCPU４１ないし検出部４９とそれぞれ同様に構成されるため、その説明は省略する。
【００８５】
なお、図３では、ディジタルTV１２は、コンテンツを表示する表示部４８を有し、したがって、ディジタルTV１２は、全体として、コンテンツを表示する表示装置として機能するが、ディジタルTV１２は、CPU４１ないし表示制御部４７、及び、検出部５９を有する装置と、表示部４８を有する装置とに分けて構成することができる。この場合、CPU４１ないし表示制御部４７、及び、検出部５９を有する装置は、表示部４８（を有する装置）に画像を表示させる表示制御装置として機能する。
【００８６】
ディジタルTV１３も、ディジタルTV１２と同様に構成することができる。
【００８７】
また、図２のレコーダ１１において、受信部３５は、テレビジョン放送信号として送信されてくるコンテンツを受信することにより取得する取得手段として機能するが、ネットワークI/F３４も、ディジタルTV１１や１２から、ネットワーク１０を介して送信されてくるコンテンツを受信することができる点で、取得手段として機能する。図３のネットワークI/F４４、及び、図４のネットワークI/F５４も同様である。
【００８８】
ここで、取得手段として機能するネットワークI/F３４，４４、及び５４では、例えば、インターネット上のサーバから送信されてくるテレビジョン放送番組等のコンテンツを取得することもできる。
【００８９】
［携帯端末２１の第１の構成例］
【００９０】
図５は、図１の携帯端末２１の第１の構成例を示すブロック図である。
【００９１】
図５において、携帯端末２１は、CPU６１、メモリ６２、入出力I/F６３、入出力機構６３Ａ、ネットワークI/F６４、及び、アンテナ６４Ａを有する。CPU６１、メモリ６２、入出力I/F６３、入出力機構６３Ａ、ネットワークI/F６４、及び、アンテナ６４Ａのうちの、CPU６１、メモリ６２、入出力I/F６３、及び、ネットワークI/F６４は、バスを介して相互に接続されている。
【００９２】
CPU６１は、メモリ６２に記憶されたプログラムを実行することで、携帯端末２１を構成する各ブロックの制御その他の各種の処理を行う。
【００９３】
メモリ６２は、CPU６１の動作上必要なデータ等を記憶する。
【００９４】
入出力I/F６３は、外部との間の入出力を制御するインターフェースであり、そこには、入出力機構６３Ａが接続される。
【００９５】
入出力機構６３Ａは、外部との間の入出力を行うためのデバイスであり、例えば、キーボード（ボタン）や、タッチパネル、マイク、スピーカ、表示パネル等である。
【００９６】
ネットワークI/F６４は、例えば、無線LANの通信を制御するインターフェースであり、アンテナ６４Ａを介して、アクセスポイント１４（図１）との間で信号を送受信することにより、ネットワーク１０に接続されたレコーダ１１や、ディジタルTV１２及び１３との間の通信を制御する。
【００９７】
なお、CPU６１が実行するプログラムは、メモリ６２にあらかじめ記憶（記録）しておく他、光ディスクや、光磁気ディスク、磁気ディスク、半導体メモリ等のリムーブバブルなリムーバブル記録媒体に記録し、そのリムーバブル記録媒体から、携帯端末２１にインストールすることができる。
【００９８】
また、CPU６１が実行するプログラムは、例えば、インターネット上のサーバからダウンロードし、あるいは、テレビジョン放送信号に含めて送信し、携帯端末２１にインストールすることができる。
【００９９】
［復帰モード#1の復帰処理］
【０１００】
図１のホームネットワークシステムで行われる復帰モード#1の復帰処理を説明する。
【０１０１】
復帰モード#1の復帰処理では、上述したように、例えば、あるチャンネルで放送されているコンテンツを視聴しているユーザが、コンテンツの視聴を中断する行動をとり、その後、ユーザがコンテンツを視聴することができる状態となった場合に、視聴を中断したコンテンツを放送していたチャンネルで放送されているコンテンツが提示される。
【０１０２】
図６は、例えば、部屋AにあるディジタルTV１２によって、あるチャンネルで放送されているコンテンツを視聴しているユーザが、所用で、一時的に、部屋Aから出て、再び、部屋Aに戻ってきた場合に行われる復帰モード#1の復帰処理を説明する図である。
【０１０３】
例えば、ユーザが、部屋Aにおいて、ディジタルTV１２の電源をオンするように、携帯端末２１（図５）の入出力機構６３Ａを操作すると、携帯端末２１のネットワークI/F６４では、その操作に対応したコマンドが送信される。
【０１０４】
携帯端末２１からのコマンドは、ディジタルTV１２（図３）のネットワークI/F４４で受信され、CPU４１に供給される。
【０１０５】
CPU４１は、ステップＳ１１において、携帯端末２１からのコマンドに従い、ディジタルTV１２の電源をオン状態にし、動作モードを通常モードとする。
【０１０６】
その後、ディジタルTV１２では、所定のチャンネルが選択され、そのチャンネルで放送されているコンテンツが、表示部４８で表示される。
【０１０７】
すなわち、ディジタルTV１２（図３）では、受信部４５は、そこに供給されるテレビジョン放送信号から、例えば、前回、電源がオフされたときに抽出されていたチャンネルのテレビジョン放送信号を抽出することにより、そのチャンネルで放送されているコンテンツを取得する。
【０１０８】
受信部４５が取得したコンテンツは、デコーダ４６、及び、表示制御部４７を介して、表示部４８に供給されて表示される。
【０１０９】
これにより、ユーザは、コンテンツを視聴することができる。
【０１１０】
ここで、表示部４８では、受信部４５が取得したコンテンツのうちの画像が表示され、受信部４５が取得したコンテンツのうちの音声は、図示せぬスピーカから出力されるが、音声についての説明は、省略する。
【０１１１】
また、ユーザが、所定のチャンネルを選択するように、携帯端末２１（図５）の入出力機構６３Ａを操作すると、携帯端末２１のネットワークI/F６４では、その操作に対応したコマンドが送信される。
【０１１２】
携帯端末２１からのコマンドは、ディジタルTV１２（図３）のネットワークI/F４４で受信され、CPU４１に供給される。
【０１１３】
CPU４１は、携帯端末２１からのコマンドに従い、所定のチャンネルを選択するように、受信部４５を制御する。
【０１１４】
この場合、ステップＳ１２では、受信部４５は、そこに供給されるテレビジョン放送信号から、CPU４１の制御に従った所定のチャンネルのテレビジョン放送信号を抽出することにより、その所定のチャンネルで放送されているコンテンツを取得する。
【０１１５】
以上のように、ディジタルTV１２の表示部４８にコンテンツが表示されている場合に、その表示部４８に表示されたコンテンツを視聴していたユーザが、例えば、所用で、ディジタルTV１２がある部屋Aから出て行き、ディジタルTV１２の周囲からいなくなったとき、検出部４９では、ステップＳ１３において、ユーザがディジタルTV１２の周囲に存在しないことが検出される（不在検出が行われる）。
【０１１６】
ディジタルTV１２の表示部４８にコンテンツが表示されている場合に、検出部４９において、不在検出が行われると、ステップＳ１４において、ディジタルTV１２のCPU４１は、そのとき、つまり、表示部４８に表示されたコンテンツを視聴していたユーザが、ディジタルTV１２の周囲から存在しないことが検出されたときのディジタルTV１２の状態を表す状態情報を生成し、メモリ４２に記憶させる。
【０１１７】
ここで、状態情報には、ディジタルTV１２の受信部４５が選択（抽出）しているチャンネルや、音量の状態を表す情報が含まれる。
【０１１８】
その後、ステップＳ１５において、ディジタルTV１２のネットワークI/F４４は、ネットワーク１０上の他のTV（ディジタルTV１２以外のTVすべて）であるディジタルTV１３に、ユーザが（ディジタルTV１２の）周囲に存在しない旨を不在情報を、状態情報とともに送信する。
【０１１９】
さらに、ステップＳ１６において、ディジタルTV１２のCPU４１は、ディジタルTV１２の動作モードを、通常モードから省電力モードに変更する。
【０１２０】
以上のように、ディジタルTV１２の表示部４８にコンテンツが表示されている場合に、検出部４９において、不在検出が行われると、ディジタルTV１２は、他のTVであるディジタルTV１３に不在情報及び状態情報を送信する。
【０１２１】
さらに、ディジタルTV１２は、動作モードを、省電力モードとする。
【０１２２】
したがって、ユーザが視聴していないのに、表示部４８にコンテンツが表示され、無駄な電力が消費されることを防止（低減）することができる。
【０１２３】
一方、ディジタルTV１３では、ディジタルTV１２から不在情報、及び、状態情報が送信されてくると、ネットワークI/F５４（図４）が、ディジタルTV１２からの不在情報、及び、状態情報を受信し、CPU５１に供給する。
【０１２４】
ディジタルTV１３のCPU５１は、ステップＳ２１において、ディジタルTV１２からの状態情報を、メモリ５２に記憶させる。
【０１２５】
さらに、CPU５１は、ステップＳ２２において、ディジタルTV１２からの不在情報に応じて、ディジタルTV１３の電源をオン状態にし、動作モードを省電力モードとする。
【０１２６】
なお、ディジタルTV１３において、ディジタルTV１２からの不在情報の受信時に、ディジタルTV１３の電源がオン状態になっており、動作モードが通常モードになっているときには、部屋BにあるディジタルTV１３で、コンテンツを視聴している他のユーザ（部屋AにあるディジタルTV１２で、コンテンツを視聴していたユーザとは別のユーザ）が存在する可能性が高いので、部屋Bの他のユーザのコンテンツの視聴を妨げるのを防止するために、CPU５１は、ステップＳ２１及びＳ２２の処理を行わない。
【０１２７】
また、ディジタルTV１３において、ディジタルTV１２からの不在情報の受信時に、ディジタルTV１３の電源がオン状態になっているが、動作モードが省電力モードになっているときには、CPU５１は、ステップＳ２１の処理を行い、ステップＳ２２の処理を行わない（行う必要がない）。
【０１２８】
ユーザが、ディジタルTV１２の周囲に存在しないことが検出され、ディジタルTV１２及び１３の動作モードが省電力モードになった後、ユーザが、例えば、用事を済ませて、ディジタルTV１２がある部屋Aに戻ってくると、ステップＳ１７において、ディジタルTV１２（図３）の検出部４９が、ユーザが存在することを検出する（人検出が行われる）。
【０１２９】
ディジタルTV１２の検出部４９において、ユーザが存在することが検出されると、ステップＳ１８において、ディジタルTV１２のCPU４１は、ディジタルTV１２の動作モードを、省電力モードから通常モードに変更する（戻す）。
【０１３０】
さらに、CPU４１は、ステップＳ１９において、直前に（ステップＳ１４で）メモリ４２に記憶された状態情報に従って、その状態情報が表すチャンネルを選択するように、受信部４５を制御する。
【０１３１】
受信部４５は、そこに供給されるテレビジョン放送信号から、CPU４１の制御に従った所定のチャンネルのテレビジョン放送信号を抽出することにより、不在検出時に選択されていたチャンネルで放送されているコンテンツを取得し、デコーダ４６、及び、表示制御部４７を介して、表示部４８に供給する。
【０１３２】
これにより、ディジタルTV１２における、コンテンツの提示（表示）の状態が、ユーザが部屋Aから出ていったときの状態（に近い状態）に復帰した復帰状態となる。
【０１３３】
したがって、ユーザは、省電力モードとなったディジタルTV１２の操作を、特に行わずに、ディジタルTV１２がある部屋Aから出て行く直前にコンテンツを視聴していたチャンネルで放送されているコンテンツの視聴を再開することができる。
【０１３４】
なお、ディジタルTV１２では、不在検出が行われて、動作モードが省電力モードとなった場合には、タイマを動作させ、省電力モードとなってからの時間を計時することができる。そして、省電力モードとなってから、ユーザが検出されることなく、例えば、１時間等の所定の時間が経過した場合には、ディジタルTV１２では、メモリ４２（図３）に記憶された状態情報を消去し、ディジタルTV１２の電源をオフ状態にすることができる。
【０１３５】
ある程度の時間が経過しても、ユーザが検出されない場合には、ユーザは、もはや、省電力モードになる直前にコンテンツを視聴していたチャンネル（のコンテンツ）を、その後に視聴することを希望していないと推測されるからである。
【０１３６】
また、ディジタルTV１２では、検出部４９（図３）において、特定のユーザが存在するかどうかを検出することができる。
【０１３７】
すなわち、ディジタルTV１２では、検出部４９において、不在検出がされ、動作モードが省電力モードとなった場合には、その後に、検出部４９において、不在検出がされた（特定の）ユーザのみを対象として、そのユーザが存在するかどうかを検出することができる。
【０１３８】
検出部４９において、特定のユーザではなく、任意のユーザが存在するかどうかを検出する場合には、部屋Aから出ていったユーザ以外のユーザが、部屋Aに入ってきても、ディジタルTV１２における、コンテンツの提示の状態が、復帰状態となるが、検出部４９において、不在検出がされたユーザのみを対象として、そのユーザが存在するかどうかを検出する場合には、部屋Aから出ていったユーザが、部屋Aに入ってきたときのみ、ディジタルTV１２における、コンテンツの提示の状態が、復帰状態となる。
【０１３９】
さらに、検出部４９では、ユーザが存在することが検出された場合に、そのユーザの視線をも検出することができる。
【０１４０】
そして、ユーザの視線が、例えば、１秒や数秒等の所定の時間以上連続して、表示部４８の方向を向いている場合に、ユーザが、コンテンツの視聴を再開する意思表示を行っていることと認識して、ディジタルTV１２における、コンテンツの提示の状態を、復帰状態にすることができる。
【０１４１】
この場合、例えば、部屋Aを出て行ったユーザが、一時的に、部屋Aに戻ってきただけであるときや、部屋Aに戻ってきたが、コンテンツの視聴を再開する意思がないとき等の、コンテンツの提示の状態を、復帰状態にする必要がないときに、コンテンツの提示の状態が、復帰状態になることを防止することができる。
【０１４２】
ディジタルTV１３（図４）でも、同様に、上述のタイマや、検出部５９において、特定のユーザが存在するかどうかを検出すること、ユーザの視線を検出することを採用することができる。
【０１４３】
図７は、例えば、部屋AにあるディジタルTV１２によって、あるチャンネルで放送されているコンテンツを視聴しているユーザが、所用で、部屋Aから出て行き、部屋Aに戻らずに、部屋Bに行った場合に行われる復帰モード#1の復帰処理を説明する図である。
【０１４４】
例えば、ユーザが、部屋Aにおいて、ディジタルTV１２の電源をオンするように、携帯端末２１（図５）の入出力機構６３Ａを操作すると、ステップＳ３１及びＳ３２において、ディジタルTV１２は、図６のステップＳ１１及びＳ１２とそれぞれ同様の処理を行う。
【０１４５】
すなわち、ディジタルTV１２（図３）では、電源がオン状態となり、動作モードが通常モードとなる。さらに、ディジタルTV１２では、受信部４５で、所定のチャンネルで放送されているコンテンツが取得され、表示部４８に表示される。
【０１４６】
以上のように、ディジタルTV１２の表示部４８にコンテンツが表示されている場合に、その表示部４８に表示されたコンテンツを視聴していたユーザが、例えば、所用で、ディジタルTV１２がある部屋Aから出て行き、ディジタルTV１２の周囲からいなくなると、ディジタルTV１２では、ステップＳ３３ないしＳ３６において、図６のステップＳ１３ないしＳ１６とそれぞれ同様の処理が行われる。
【０１４７】
すなわち、ステップＳ３３において、検出部４９が、不在検出を行い、ステップＳ３４において、CPU４１が、状態情報を生成し、メモリ４２に記憶させる。
【０１４８】
さらに、ステップＳ３５において、ディジタルTV１２から、ディジタルTV１３に対して、不在情報、及び、状態情報が送信され、ステップＳ３６において、ディジタルTV１２の動作モードが、通常モードから省電力モードに変更される。
【０１４９】
ここで、以上のように、ディジタルTV１２の表示部４８にコンテンツが表示されている場合に、検出部４９において、不在検出が行われると、ディジタルTV１２は、動作モードを、省電力モードとするので、ユーザが視聴していないのに、表示部４８にコンテンツが表示され、無駄な電力が消費されることを防止することができる。
【０１５０】
一方、ディジタルTV１３では、ディジタルTV１２から不在情報、及び、状態情報が送信されてくると、ネットワークI/F５４（図４）が、ディジタルTV１２からの不在情報、及び、状態情報を受信し、CPU５１に供給する。
【０１５１】
ディジタルTV１３のCPU５１は、ステップＳ４１において、図６のステップＳ２１と同様に、ディジタルTV１２からの状態情報を、メモリ５２に記憶させる。
【０１５２】
さらに、CPU５１は、ステップＳ４２において、図６のステップＳ２２と同様に、ディジタルTV１２からの不在情報に応じて、ディジタルTV１３の電源をオン状態にし、動作モードを省電力モードとする。
【０１５３】
ユーザが、ディジタルTV１２の周囲に存在しないことが検出され、ディジタルTV１２及び１３の動作モードが省電力モードになった後、ユーザが、例えば、用事を済ませたが、ディジタルTV１２がある部屋Aに戻らず、ディジタルTV１３がある部屋Bに行ったとすると、ステップＳ４３において、ディジタルTV１３（図４）の検出部５９が、ユーザが存在することを検出する（人検出が行われる）。
【０１５４】
ディジタルTV１３の検出部５９において、ユーザが存在することが検出されると、ステップＳ４４において、ディジタルTV１３のCPU５１は、ディジタルTV１３の動作モードを、省電力モードから通常モードに変更する。
【０１５５】
さらに、CPU５１は、ステップＳ４５において、直前に（ステップＳ４１で）メモリ５２に記憶された状態情報に従って、その状態情報が表すチャンネルを選択するように、受信部５５を制御する。
【０１５６】
受信部５５は、そこに供給されるテレビジョン放送信号から、CPU５１の制御に従った所定のチャンネルのテレビジョン放送信号を抽出することにより、ディジタルTV１２での不在検出時に選択されていたチャンネルで放送されているコンテンツを取得し、デコーダ５６、及び、表示制御部５７を介して、表示部５８に供給して表示させる。
【０１５７】
以上のように、ディジタルTV１３（図４）では、ネットワークI/F５４が、ディジタルTV１２からの不在情報、及び、状態情報を受信した後、検出部５９において、ユーザが存在することが検出された場合に、不在情報を送信してきたディジタルTV１２において表示されていたコンテンツが、受信部５５で取得され、表示部５８で表示される。
【０１５８】
これにより、部屋BにあるディジタルTV１３における、コンテンツの提示（表示）の状態が、ユーザが部屋Aから出ていったときの状態（に近い状態）に復帰した復帰状態となる。
【０１５９】
したがって、部屋AにあるディジタルTV１２でコンテンツを視聴していたユーザは、部屋Bに行った場合に、その部屋BにあるディジタルTV１３の操作を、特に行わずに、ディジタルTV１２がある部屋Aから出て行く直前にコンテンツを視聴していたチャンネルで放送されているコンテンツの視聴を再開することができる。
【０１６０】
以上のように、部屋BにあるディジタルTV１３における、コンテンツの提示の状態が、ユーザが部屋Aから出ていったときの状態に復帰した復帰状態となるので、不在検出に応じて、動作モードが省電力モードになるだけの場合よりも、ディジタルTV１２及び１３の利便性を向上させることができる。
【０１６１】
図８は、復帰モード#1の復帰処理において、ディジタルTV１２が行う処理を説明するフローチャートである。
【０１６２】
なお、ディジタルTV１３も、ディジタルTV１２と同様の処理を行う。
【０１６３】
ディジタルTV１２（図３）のCPU４１は、ステップＳ５１において、携帯端末２１（図１）が、ディジタルTV１２の電源をオン状態にするように操作されたかどうかを判定する。
【０１６４】
ステップＳ５１において、携帯端末２１が、ディジタルTV１２の電源をオン状態にするように操作されたと判定された場合、すなわち、携帯端末２１からディジタルTV１２に対して、ディジタルTV１２の電源をオン状態にすることを要求するコマンドが送信されてきた場合、ディジタルTV１２のCPU４１は、携帯端末２１からのコマンドに従い、ディジタルTV１２の電源をオン状態にし、処理は、ステップＳ５２に進む。
【０１６５】
ステップＳ５２では、CPU４１は、ディジタルTV１２の動作モードを通常モードに設定して、処理は、ステップＳ５３に進む。
【０１６６】
ここで、ディジタルTV１２では、動作モードが通常モードとなると、所定のチャンネルが選択され、そのチャンネルで放送されているコンテンツが、表示部４８（図３）で表示される。
【０１６７】
ステップＳ５３では、CPU４１は、ユーザがディジタルTV１２の周囲に存在しないことが検出されたかどうかを判定する。
【０１６８】
ステップＳ５３において、ユーザがディジタルTV１２の周囲に存在しないことが検出されていないと判定された場合、すなわち、検出部４９（図３）において、不在検出が行われなかった場合、処理は、ステップＳ５４に進み、CPU４１は、携帯端末２１（図１）が、ディジタルTV１２の電源をオフ状態にするように操作されたかどうかを判定する。
【０１６９】
ステップＳ５４において、携帯端末２１が、ディジタルTV１２の電源をオフ状態にするように操作されたと判定された場合、すなわち、携帯端末２１からディジタルTV１２に対して、ディジタルTV１２の電源をオフ状態にすることを要求するコマンドが送信されてきた場合、ディジタルTV１２のCPU４１は、携帯端末２１からのコマンドに従い、ディジタルTV１２の電源をオフ状態にし、処理は、ステップＳ５１に戻る。
【０１７０】
また、ステップＳ５４において、携帯端末２１が、ディジタルTV１２の電源をオフ状態にするように操作されていないと判定された場合、処理は、ステップＳ５３に戻る。
【０１７１】
そして、ステップＳ５３において、ユーザがディジタルTV１２の周囲に存在しないことが検出されたと判定された場合、すなわち、検出部４９（図３）において、不在検出が行われた場合、処理は、ステップＳ５５に進み、CPU４１（図３）は、不在検出が行われたときのディジタルTV１２の状態を表す状態情報を生成する。
【０１７２】
さらに、ステップＳ５５では、CPU４１は、状態情報を、メモリ４２に記憶させ、処理は、ステップＳ５６に進む。
【０１７３】
ステップＳ５６では、ディジタルTV１２のネットワークI/F４４が、ネットワーク１０上の他のTVであるディジタルTV１３に、ユーザが（ディジタルTV１２の）周囲に存在しない旨を不在情報を、状態情報とともに送信し、処理は、ステップＳ５７に進む。
【０１７４】
ステップＳ５７では、CPU４１が、ディジタルTV１２の動作モードを、通常モードから省電力モードに変更し、処理は、ステップＳ５８に進む。
【０１７５】
ディジタルTV１２の動作モードが省電力モードに変更されることにより、ディジタルTV１２は、表示部４８でのコンテンツの表示を停止し、必要最小限の電力で動作する状態となる。
【０１７６】
以上のように、ディジタルTV１２の動作モードが省電力モードとなった後、ステップＳ５８において、CPU４１は、ユーザが周囲に存在することが検出されたかどうかを判定する。
【０１７７】
ステップＳ５８において、ユーザが周囲に存在することが検出されていないと判定された場合、処理は、ステップＳ５８に戻る。
【０１７８】
ここで、以上のように、ディジタルTV１２は、ステップＳ５７において、動作モードが省電力モードとなった場合には、タイマを動作させ、省電力モードとなってからの時間を計時する。そして、省電力モードとなってから、ステップＳ５８において、ユーザが検出されたと判定されずに、例えば、１時間等の所定の時間が経過した場合には、ディジタルTV１２は、メモリ４２（図３）に記憶された状態情報を消去し、ディジタルTV１２の電源をオフ状態にして、処理は、ステップＳ５１に戻る。
【０１７９】
一方、ステップＳ５８において、ユーザが周囲に存在することが検出されたと判定された場合、すなわち、検出部４９において、ユーザが周囲に存在することが検出された場合、処理は、ステップＳ５９に進み、CPU４１は、ディジタルTV１２の動作モードを、省電力モードから通常モードに変更し、処理は、ステップＳ６０に進む。
【０１８０】
ステップＳ６０では、CPU４１は、直前のステップＳ５５、又は、後述するステップＳ６２でメモリ４２に記憶された状態情報に従って、その状態情報が表すチャンネルを選択するように、受信部４５を制御し、処理は、ステップＳ５３に戻る。
【０１８１】
受信部４５は、そこに供給されるテレビジョン放送信号から、CPU４１の制御に従った所定のチャンネルのテレビジョン放送信号を抽出することにより、不在検出時に選択されていたチャンネルで放送されているコンテンツを取得し、デコーダ４６、及び、表示制御部４７を介して、表示部４８に供給して表示させる。
【０１８２】
一方、ステップＳ５１において、携帯端末２１（図１）が、ディジタルTV１２の電源をオン状態にするように操作されていないと判定された場合、処理は、ステップＳ６１に進み、CPU４１（図３）は、ネットワークI/F４４において、他のTVであるディジタルTV１３からの不在情報が受信されたかどうかを判定する。
【０１８３】
ステップＳ６１において、ネットワークI/F４４が、ディジタルTV１３からの不在情報を受信していないと判定された場合、すなわち、ディジタルTV１３から、不在情報が送信されてきていない場合、処理は、ステップＳ５１に戻る。
【０１８４】
また、ステップＳ６１において、ネットワークI/F４４が、ディジタルTV１３からの不在情報を受信したと判定された場合、すなわち、ディジタルTV１３から、不在情報が、状態情報とともに送信されてきた場合、処理は、ステップＳ６２に進み、CPU４１は、ディジタルTV１３から不在情報とともに送信されてきた状態情報を、メモリ４２に記憶させる。
【０１８５】
その後、CPU４１は、ディジタルTV１３からの不在情報に応じて、ディジタルTV１２の電源をオン状態にし、処理は、ステップＳ６２からステップＳ５７に進む。
【０１８６】
ステップＳ５７では、CPU４１が、ディジタルTV１２の動作モードを、省電力モードに設定し、以下、上述の場合と同様の処理が行われる。
【０１８７】
［復帰モード#2の復帰処理］
【０１８８】
図１のホームネットワークシステムで行われる復帰モード#2の復帰処理を説明する。
【０１８９】
復帰モード#2の復帰処理では、上述したように、例えば、あるチャンネルで放送されているコンテンツを視聴しているユーザが、コンテンツの視聴を中断する行動をとった場合に、コンテンツの視聴の中断時から、そのコンテンツの録画を開始し、その後、ユーザがコンテンツを視聴することができる状態となった場合に、録画がされたコンテンツが再生される。
【０１９０】
図９は、例えば、部屋AにあるディジタルTV１２によって、あるチャンネルで放送されているコンテンツを視聴しているユーザが、所用で、一時的に、部屋Aから出て、再び、部屋Aに戻ってきた場合に行われる復帰モード#2の復帰処理を説明する図である。
【０１９１】
例えば、ユーザが、部屋Aにおいて、ディジタルTV１２の電源をオンするように、携帯端末２１（図５）の入出力機構６３Ａを操作すると、ステップＳ８１及びＳ８２において、ディジタルTV１２は、図６のステップＳ１１及びＳ１２とそれぞれ同様の処理を行う。
【０１９２】
すなわち、ディジタルTV１２（図３）では、電源がオン状態となり、動作モードが通常モードとなる。さらに、ディジタルTV１２では、受信部４５で、所定のチャンネルで放送されているコンテンツが取得され、表示部４８に表示される。
【０１９３】
以上のように、ディジタルTV１２の表示部４８にコンテンツが表示されている場合に、その表示部４８に表示されたコンテンツを視聴していたユーザが、例えば、所用で、ディジタルTV１２がある部屋Aから出て行き、ディジタルTV１２の周囲からいなくなったとき、検出部４９では、ステップＳ８３において、ユーザがディジタルTV１２の周囲に存在しないことが検出される（不在検出が行われる）。
【０１９４】
ディジタルTV１２の表示部４８にコンテンツが表示されている場合に、検出部４９において、不在検出が行われると、ディジタルTV１２のCPU４１は、ステップＳ８４において、不在検出が行われたときに受信部４５で取得され、表示部４８で表示されていたコンテンツを、レコーダ１１（の記録媒体３７（図２））に記録させる記録制御を行う。
【０１９５】
すなわち、ディジタルTV１２のCPU４１（図３）は、ステップＳ８４において、ネットワークI/F４４から、レコーダ１１に対して、不在検出が行われたときに受信部４５が取得していたコンテンツの録画（以下、不在録画ともいう）を要求するコマンドを送信する。
【０１９６】
レコーダ１１のCPU３１（図２）は、ディジタルTV１２からの、不在録画を要求するコマンドを、ネットワークI/F３４を介して受信し、ステップＳ７１において、そのコマンドに従い、受信部３５、及び、記録再生制御部３６を制御することにより、ディジタルTV１２において不在検出が行われたときに受信部４５（図３）で取得されていたコンテンツの、記録媒体３７への記録（不在録画）を開始させる。
【０１９７】
すなわち、ディジタルTV１２からの、不在録画を要求するコマンドには、ディジタルTV１２において不在検出が行われたときに受信部４５（図３）で取得されていたコンテンツを放送しているチャンネルと放送終了時刻の情報が含まれており、レコーダ１１の受信部３５（図２）は、不在録画を要求するコマンドに含まれるチャンネルで放送されているコンテンツを取得し、記録再生制御部３６に供給する。
【０１９８】
記録再生制御部３６は、受信部３５からのコンテンツを、記録媒体３７に記録（不在録画）する。
【０１９９】
ここで、レコーダ１１において、不在録画は、ディジタルTV１２からの、不在録画を要求するコマンドに含まれる放送終了時刻まで行われる。
【０２００】
したがって、不在録画では、不在検出が行われたときに、その不在検出が行われたディジタルTV１２の受信部４５が取得していたコンテンツ（番組）が、放送終了まで録画される。
【０２０１】
なお、レコーダ１１において、不在録画としての録画を、ディジタルTV１２で不在検出が行われた直後から開始すると、ユーザが、ディジタルTV１２がある部屋Aから出ていこうとして、ディジタルTV１２（の表示部４８）に表示されたコンテンツの視聴をやめた数秒間のシーンが録画されないことがある。
【０２０２】
そこで、レコーダ１１では、例えば、常時、すべてのチャンネルについて、コンテンツを、最新の数秒ないし数十秒間分だけ残すように、上書きの形で録画する、いわば予備的な録画を行い、不在録画を要求するコマンドが送信されてきた場合には、不在録画の対象のコンテンツについては、予備的な録画の分も含めて、不在録画の結果とすることができる。
【０２０３】
この場合、不在録画において、ユーザが、ディジタルTV１２がある部屋Aから出ていこうとして、ディジタルTV１２に表示されたコンテンツの視聴をやめた瞬間のシーンを含むコンテンツの録画を行うことができる。
【０２０４】
ディジタルTV１２のCPU４１は、不在録画を要求するコマンドを送信した後、ステップＳ８５において、不在情報を、ネットワークI/F４４から、ネットワーク１０上の他のTVであるディジタルTV１３に送信する。
【０２０５】
さらに、ステップＳ８６において、ディジタルTV１２のCPU４１は、ディジタルTV１２の動作モードを、通常モードから省電力モードに変更する。
【０２０６】
以上のように、ディジタルTV１２の表示部４８にコンテンツが表示されている場合に、検出部４９において、不在検出が行われると、ディジタルTV１２は、レコーダ１１に不在録画を行わせるとともに、他のTVであるディジタルTV１３に不在情報を送信する。
【０２０７】
さらに、ディジタルTV１２は、動作モードを、省電力モードとする。
【０２０８】
したがって、ユーザが視聴していないのに、表示部４８にコンテンツが表示され、無駄な電力が消費されることを防止することができる。
【０２０９】
一方、ディジタルTV１３では、ディジタルTV１２から不在情報が送信されてくると、ネットワークI/F５４（図４）が、ディジタルTV１２からの不在情報を受信し、CPU５１に供給する。
【０２１０】
ディジタルTV１３のCPU５１は、ステップＳ１０１において、ディジタルTV１２からの不在情報に応じて、ディジタルTV１３の電源をオン状態にし、動作モードを省電力モードとする。
【０２１１】
なお、図６の場合と同様に、ディジタルTV１３において、ディジタルTV１２からの不在情報の受信時に、ディジタルTV１３の電源がオン状態になっており、動作モードが通常モードになっているときには、部屋BにあるディジタルTV１３で、コンテンツを視聴している他のユーザが存在する可能性が高いので、部屋Bの他のユーザのコンテンツの視聴を妨げるのを防止するために、CPU５１は、ステップＳ１０１の処理を行わない。
【０２１２】
さらに、図６の場合と同様に、ディジタルTV１３において、ディジタルTV１２からの不在情報の受信時に、ディジタルTV１３の電源がオン状態になっているが、動作モードが省電力モードになっているときには、CPU５１は、ステップＳ１０１の処理を行わない（行う必要がない）。
【０２１３】
ユーザが、ディジタルTV１２の周囲に存在しないことが検出され、ディジタルTV１２及び１３の動作モードが省電力モードになった後、ユーザが、例えば、用事を済ませて、ディジタルTV１２がある部屋Aに戻ってくると、ステップＳ８７において、ディジタルTV１２（図３）の検出部４９が、ユーザが存在することを検出する（人検出が行われる）。
【０２１４】
ディジタルTV１２の検出部４９において、ユーザが存在することが検出されると、ステップＳ８８において、ディジタルTV１２のCPU４１は、ディジタルTV１２の動作モードを、省電力モードから通常モードに変更する。
【０２１５】
さらに、CPU４１は、ステップＳ８９において、直前に不在録画を行ったコンテンツの再生を要求するコマンドを、ネットワークI/F４４から、レコーダ１１に送信する。
【０２１６】
レコーダ１１のCPU３１（図２）は、ディジタルTV１２からの、不在録画を行ったコンテンツの再生を要求するコマンドを、ネットワークI/F３４を介して受信し、ステップＳ７２において、そのコマンドに従って、記録再生制御部３６を制御することにより、記録媒体３７に記録された、不在録画を行ったコンテンツの再生を開始させる。
【０２１７】
そして、レコーダ１１では、ステップＳ７３において、記録媒体３７から再生されたコンテンツが、ネットワークI/F３４から、不在録画を行ったコンテンツの再生を要求するコマンドを送信してきたディジタルTV１２に送信される。
【０２１８】
ディジタルTV１２では、ステップＳ９０において、レコーダ１１からのコンテンツが、ネットワークI/F４４（図３）で受信され、再生される。
【０２１９】
すなわち、ディジタルTV１２では、レコーダ１１からのコンテンツが、ネットワークI/F４４から、デコーダ４６に供給される。デコーダ４６は、ネットワークI/F４４からのコンテンツを、必要に応じてデコードし、表示制御部４７に供給する。表示制御部４７は、デコーダ４６からのコンテンツを、表示部４８に供給し、表示部４８では、不在録画が行われたコンテンツが表示される。
【０２２０】
これにより、ディジタルTV１２における、コンテンツの提示（表示）の状態が、ユーザが部屋Aから出ていったときの状態に復帰した復帰状態となる。
【０２２１】
すなわち、ユーザが戻ってきた部屋AのディジタルTV１２では、ユーザが、部屋Aを出て行ったときに視聴していたコンテンツの続きのシーン（ユーザが、部屋Aを出て行ったときにディジタルTV１２で表示されていたシーン以前の、そのシーンの間近のシーン）から、コンテンツが表示される。
【０２２２】
したがって、ユーザは、省電力モードとなったディジタルTV１２の操作を、特に行わずに、ディジタルTV１２がある部屋Aから出て行く直前に視聴していたコンテンツの続きのシーンからの視聴を再開することができ、さらに、ユーザは、部屋Aを出て行ってから、部屋Aに戻るまでの間に放送されたシーンを見逃すことなく、視聴することができる。
【０２２３】
その後、ユーザが、コンテンツの再生を停止するように、又は、ディジタルTV１２の電源をオフ状態にするように、携帯端末２１（図１）を操作すると、その操作に対応したコマンドが、携帯端末２１から、ディジタルTV１２に送信される。
【０２２４】
ディジタルTV１２では、ステップＳ９１において、携帯端末２１からのコマンドに応じて、コンテンツの再生が停止され、又は、ディジタルTV１２の電源がオフ状態にされる。
【０２２５】
さらに、ディジタルTV１２では、ステップＳ９２において、コンテンツの再生の停止を要求するコマンドが、レコーダ１１に送信される。
【０２２６】
レコーダ１１は、ステップＳ７４において、ディジタルTV１２からのコマンドに応じて、不在録画がされたコンテンツの再生が停止される。
【０２２７】
図１０は、例えば、部屋AにあるディジタルTV１２によって、あるチャンネルで放送されているコンテンツを視聴しているユーザが、所用で、部屋Aから出て行き、部屋Aに戻らずに、部屋Bに行った場合に行われる復帰モード#2の復帰処理を説明する図である。
【０２２８】
例えば、ユーザが、部屋Aにおいて、ディジタルTV１２の電源をオンするように、携帯端末２１（図５）の入出力機構６３Ａを操作すると、ステップＳ１２１及びＳ１２２において、ディジタルTV１２は、図６のステップＳ１１及びＳ１２とそれぞれ同様の処理を行う。
【０２２９】
すなわち、ディジタルTV１２（図３）では、電源がオン状態となり、動作モードが通常モードとなる。さらに、ディジタルTV１２では、受信部４５で、所定のチャンネルで放送されているコンテンツが取得され、表示部４８に表示される。
【０２３０】
以上のように、ディジタルTV１２の表示部４８にコンテンツが表示されている場合に、その表示部４８に表示されたコンテンツを視聴していたユーザが、例えば、所用で、ディジタルTV１２がある部屋Aから出て行き、ディジタルTV１２の周囲からいなくなると、ディジタルTV１２では、ステップＳ１２３ないしＳ１２６において、図９のステップＳ８３ないしＳ８６とそれぞれ同様の処理が行われる。
【０２３１】
すなわち、ステップＳ１２３において、検出部４９が、不在検出を行い、ステップＳ１２４において、CPU４１が、レコーダ１１に対する記録制御として、不在録画を要求するコマンドを、ネットワークI/F４４からレコーダ１１に送信させる。
【０２３２】
さらに、ステップＳ１２５において、ディジタルTV１２から、ディジタルTV１３に対して、不在情報が送信され、ステップＳ１２６において、ディジタルTV１２の動作モードが、通常モードから省電力モードに変更される。
【０２３３】
ここで、以上のように、ディジタルTV１２の表示部４８にコンテンツが表示されている場合に、検出部４９において、不在検出が行われると、ディジタルTV１２は、動作モードを、省電力モードとするので、ユーザが視聴していないのに、表示部４８にコンテンツが表示され、無駄な電力が消費されることを防止することができる。
【０２３４】
一方、レコーダ１１のCPU３１（図２）は、ディジタルTV１２から、記録制御としての、不在録画を要求するコマンドが送信されてくると、そのコマンドを受信し、ステップＳ１１１において、図９のステップＳ７１の場合と同様に、ディジタルTV１２において不在検出が行われたときに受信部４５（図３）で取得されていたコンテンツの、記録媒体３７への記録（不在録画）を開始させる。
【０２３５】
また、ディジタルTV１３は、ディジタルTV１２から不在情報が送信されてくると、その不在情報を受信する。そして、ディジタルTV１３は、ステップＳ１３１において、図９のステップＳ１０１と同様に、ディジタルTV１２からの不在情報に応じて、ディジタルTV１３の電源をオン状態にし、動作モードを省電力モードとする。
【０２３６】
ユーザが、ディジタルTV１２の周囲に存在しないことが検出され、ディジタルTV１２及び１３の動作モードが省電力モードになった後、ユーザが、例えば、用事を済ませたが、ディジタルTV１２がある部屋Aに戻らず、ディジタルTV１３がある部屋Bに行ったとすると、ステップＳ１３２において、ディジタルTV１３（図４）の検出部５９が、ユーザが存在することを検出する（人検出が行われる）。
【０２３７】
ディジタルTV１３の検出部５９において、ユーザが存在することが検出されると、ステップＳ１３３において、ディジタルTV１３（図４）のCPU５１は、ディジタルTV１３の動作モードを、省電力モードから通常モードに変更する。
【０２３８】
さらに、CPU５１は、ステップＳ１３４において、直前に不在録画を行ったコンテンツの再生を要求するコマンドを、ネットワークI/F５４から、レコーダ１１に送信する。
【０２３９】
レコーダ１１のCPU３１（図２）は、ディジタルTV１３からの、不在録画を行ったコンテンツの再生を要求するコマンドを、ネットワークI/F３４を介して受信し、ステップＳ１１２において、そのコマンドに応じて、記録再生制御部３６を制御することにより、記録媒体３７に記録された、不在録画を行ったコンテンツの再生を開始させる。
【０２４０】
そして、レコーダ１１では、ステップＳ１１３において、記録媒体３７から再生されたコンテンツが、ネットワークI/F３４から、不在録画を行ったコンテンツの再生を要求するコマンドを送信してきたディジタルTV１３に送信される。
【０２４１】
ディジタルTV１３では、ステップＳ１３５において、レコーダ１１からのコンテンツが、ネットワークI/F５４（図４）で受信され、再生される。
【０２４２】
すなわち、ディジタルTV１３では、レコーダ１１からのコンテンツが、ネットワークI/F５４から、デコーダ５６に供給される。デコーダ５６は、ネットワークI/F５４からのコンテンツを、必要に応じてデコードし、表示制御部５７に供給する。表示制御部５７は、デコーダ５６からのコンテンツを、表示部５８に供給し、これにより、表示部５８では、不在録画が行われたコンテンツが表示される。
【０２４３】
これにより、部屋BにあるディジタルTV１３における、コンテンツの提示（表示）の状態が、ユーザが部屋Aから出ていったときの状態に復帰した復帰状態となる。
【０２４４】
すなわち、ユーザが行った部屋BのディジタルTV１３では、ユーザが、部屋Aを出て行ったときに視聴していたコンテンツの続きのシーンから、コンテンツが表示される。
【０２４５】
以上のように、ディジタルTV１３（図４）では、ネットワークI/F５４において、ディジタルTV１２からの不在情報を受信した後、検出部５９において、ユーザが存在することが検出された場合に、不在検出が行われたディジタルTV１２の記録制御によってレコーダ１１の記録媒体３７に記録（不在録画）されたコンテンツを再生させ、ユーザが入ってきた部屋BにあるディジタルTV１３の表示部５８に表示される。
【０２４６】
したがって、ユーザは、コンテンツを視聴していた部屋Aに戻ることなく、かつ、部屋Bにおいて、その部屋BにあるディジタルTV１３の操作を、特に行わずに、ディジタルTV１２がある部屋Aから出て行く直前に視聴していたコンテンツの続きのシーンからの視聴を再開することができ、さらに、ユーザは、部屋Aを出て行ってから、部屋Bに行くまでの間に放送されたシーンを見逃すことなく、視聴することができる。
【０２４７】
以上のように、部屋BにあるディジタルTV１３における、コンテンツの提示の状態が、ユーザが部屋Aから出ていったときの状態に復帰した復帰状態となるので、不在検出に応じて、動作モードが省電力モードになるだけの場合よりも、ディジタルTV１２及び１３の利便性を向上させることができる。
【０２４８】
その後、ユーザが、コンテンツの再生を停止するように、又は、ディジタルTV１３の電源をオフ状態にするように、携帯端末２１（図１）を操作すると、その操作に対応したコマンドが、携帯端末２１から、ディジタルTV１３に送信される。
【０２４９】
ディジタルTV１３では、ステップＳ１３６において、携帯端末２１からのコマンドに応じて、コンテンツの再生（デコード等）が停止され、又は、ディジタルTV１３の電源がオフ状態にされる。
【０２５０】
さらに、ディジタルTV１３では、ステップＳ１３７において、コンテンツの再生の停止を要求するコマンドが、レコーダ１１に送信される。
【０２５１】
レコーダ１１は、ステップＳ１１４において、ディジタルTV１３からのコマンドに応じて、不在録画がされたコンテンツの再生が停止される。
【０２５２】
図１１は、復帰モード#2の復帰処理において、ディジタルTV１２が行う処理を説明するフローチャートである。
【０２５３】
なお、ディジタルTV１３も、ディジタルTV１２と同様の処理を行う。
【０２５４】
ディジタルTV１２では、ステップＳ１４１ないしＳ１４３において、図８のステップＳ５１ないしＳ５３とそれぞれ同様の処理が行われる。
【０２５５】
すなわち、ディジタルTV１２（図３）のCPU４１は、ステップＳ１４１において、携帯端末２１（図１）が、ディジタルTV１２の電源をオン状態にするように操作されたかどうかを判定する。
【０２５６】
ステップＳ１４１において、携帯端末２１が、ディジタルTV１２の電源をオン状態にするように操作されたと判定された場合、ディジタルTV１２のCPU４１は、ディジタルTV１２の電源をオン状態にし、処理は、ステップＳ１４２に進む。
【０２５７】
ステップＳ１４２では、CPU４１は、ディジタルTV１２の動作モードを通常モードに設定し、これにより、所定のチャンネルで放送されているコンテンツが、表示部４８（図３）で表示され、処理は、ステップＳ１４３に進む。
【０２５８】
ステップＳ１４３では、CPU４１は、ユーザがディジタルTV１２の周囲に存在しないことが検出されたかどうかを判定する。
【０２５９】
ステップＳ１４３において、ユーザがディジタルTV１２の周囲に存在しないことが検出されていないと判定された場合、すなわち、検出部４９（図３）において、不在検出が行われなかった場合、処理は、ステップＳ１４４ないしＳ１５３をスキップして、ステップＳ１５４に進む。
【０２６０】
また、ステップ１４３において、ユーザがディジタルTV１２の周囲に存在しないことが検出されたと判定された場合、すなわち、検出部４９（図３）において、不在検出が行われた場合、処理は、ステップＳ１４４に進み、CPU４１（図３）は、不在検出が行われたときに受信部４５で取得され、表示部４８で表示されていたコンテンツを、レコーダ１１（の記録媒体３７（図２））に記録させる不在録画を要求するコマンド（以下、不在録画要求コマンドともいう）を、ネットワークI/F４４から、レコーダ１１に対して送信する。
【０２６１】
その後、処理は、ステップＳ１４４からステップＳ１４５に進み、CPU４１は、ネットワークI/F４４から、ネットワーク１０上の他のTVであるディジタルTV１３に対して、不在情報を送信させ、処理は、ステップＳ１４６に進む。
【０２６２】
ここで、ステップＳ１４５において、ネットワーク１０上の他のTVであるディジタルTV１３に対して送信する不在情報には、ステップＳ１４４で不在録画を要求したコンテンツを特定する特定情報（例えば、タイトルや、放送チャンネル、放送時間帯等）を含めることができる。この場合、不在情報を受信したディジタルTV１３では、後述するステップＳ１４９において、不在情報に含まれる特定情報によって、不在録画がされたコンテンツを特定し、そのコンテンツの再生を、レコーダ１１に要求することができる。
【０２６３】
ステップＳ１４６では、CPU４１が、ディジタルTV１２の動作モードを、通常モードから省電力モードに変更し、処理は、ステップＳ１４７に進む。
【０２６４】
ディジタルTV１２の動作モードが省電力モードに変更されることにより、ディジタルTV１２は、表示部４８でのコンテンツの表示を停止し、必要最小限の電力で動作する状態となる。
【０２６５】
以上のように、ディジタルTV１２の動作モードが省電力モードとなった後、ステップＳ１４７において、CPU４１は、ユーザが周囲に存在することが検出されたかどうかを判定する。
【０２６６】
ステップＳ１４７において、ユーザが周囲に存在することが検出されていないと判定された場合、処理は、ステップＳ１４７に戻る。
【０２６７】
ここで、以上のように、ディジタルTV１２は、ステップＳ１４６において、動作モードが省電力モードとなった場合には、タイマを動作させ、省電力モードとなってからの時間を計時する。そして、省電力モードとなってから、ステップＳ１４７において、ユーザが検出されたと判定されずに、例えば、１時間等の所定の時間が経過した場合には、ディジタルTV１２は、ディジタルTV１２の電源をオフ状態にして、処理は、ステップＳ１４１に戻る。
【０２６８】
一方、ステップＳ１４７において、ユーザが周囲に存在することが検出されたと判定された場合、すなわち、検出部４９において、ユーザが周囲に存在することが検出された場合、処理は、ステップＳ１４８に進み、CPU４１は、ディジタルTV１２の動作モードを、省電力モードから通常モードに変更し、処理は、ステップＳ１４９に進む。
【０２６９】
ステップＳ１４９では、CPU４１は、直前に不在録画を行ったコンテンツの再生を要求するコマンド（以下、不在録画コンテンツ再生要求コマンドともいう）を、ネットワークI/F４４から、レコーダ１１に送信する。
【０２７０】
そして、不在録画コンテンツ再生要求コマンドを受信したレコーダ１１から、ディジタルTV１２又は１３の記録制御によって不在録画がされたコンテンツが送信されてくるのを待って、処理は、ステップＳ１４９からステップＳ１５０に進み、ディジタルTV１２は、レコーダ１１からのコンテンツを、ネットワークI/F４４（図３）で受信し、再生する。
【０２７１】
すなわち、ディジタルTV１２では、レコーダ１１からのコンテンツが、ネットワークI/F４４から、デコーダ４６に供給される。デコーダ４６は、ネットワークI/F４４からのコンテンツを、必要に応じてデコードし、表示制御部４７に供給する。表示制御部４７は、デコーダ４６からのコンテンツを、表示部４８に供給し、表示部４８では、不在録画が行われたコンテンツが表示される。
【０２７２】
以上のように、ディジタルTV１２において、不在録画がされたコンテンツの表示が開始されると、処理は、ステップＳ１５０からステップＳ１５１に進み、CPU４１（図３）は、コンテンツの再生を停止するように、又は、ディジタルTV１２の電源をオフ状態にするように、携帯端末２１（図１）が操作されたかどうかを判定する。
【０２７３】
すなわち、ステップＳ１５１では、携帯端末２１から、ディジタルTV１２に対して、コンテンツの再生の停止を要求するコマンド（以下、再生停止要求コマンドともいう）、又は、ディジタルTV１２の電源をオフ状態にすることを要求するコマンド（以下、電源オフ要求コマンドともいう）が送信されてきたかどうかを判定する。
【０２７４】
ステップＳ１５１において、再生停止要求コマンド、及び、電源オフ要求コマンドのいずれも送信されてきていないと判定された場合、処理は、ステップＳ１５２に進み、CPU４１（図３）は、ステップＳ１５０で開始された、不在録画がされたコンテンツが、その最後まで再生されたかどうかを判定する。
【０２７５】
ステップＳ１５２において、不在録画がされたコンテンツが、まだ、最後まで再生されていないと判定された場合、処理は、ステップＳ１５１に戻る。
【０２７６】
また、ステップＳ１５２において、不在録画がされたコンテンツが、最後まで再生されたと判定された場合、処理は、ステップＳ１５４に進む。
【０２７７】
一方、ステップＳ１５１において、携帯端末２１から、ディジタルTV１２に対して、再生停止要求コマンド、又は、電源オフ要求コマンドのうちのいずれかが送信されてきたと判定された場合、処理は、ステップＳ１５３に進み、CPU４１（図３）は、ネットワークI/F４４から、レコーダ１１に対して、再生停止要求コマンドを送信し、処理は、ステップＳ１５４に進む。
【０２７８】
ここで、レコーダ１１は、再生停止要求コマンドが送信されてくると、その再生停止要求コマンドに従い、コンテンツ（ここでは、不在録画がされたコンテンツ）の再生を停止する。
【０２７９】
また、ステップＳ１５０において、レコーダ１１からの、不在録画がされたコンテンツの再生の開始後、ステップＳ１５２において、不在録画がされたコンテンツが、最後まで再生されたと判定されるまでか、ステップＳ１５３において、レコーダ１１に対して、再生停止要求コマンドを送信され、レコーダ１１での、不在録画がされたコンテンツの再生が停止されるまでは、図１のホームネットワークシステムでは、復帰モード#3の復帰処理を行うことができる。復帰モード#3の復帰処理の詳細については、後述する。
【０２８０】
ステップＳ１５４では、CPU４１（図３）は、ユーザが、ディジタルTV１２の電源をオフ状態にするように、携帯端末２１（図１）を操作したかどうかを判定する。
【０２８１】
ステップＳ１５４において、ディジタルTV１２の電源をオフ状態にするように、携帯端末２１が操作されたと判定された場合、すなわち、ステップＳ１５１で携帯端末２１から送信されてきたと判定されたコマンドが、電源オフ要求コマンドである場合、CPU４１は、ディジタルTV１２の電源をオフ状態にして、処理は、ステップＳ１４１に戻る。
【０２８２】
また、ステップＳ１５４において、ディジタルTV１２の電源をオフ状態にするように、携帯端末２１が操作されていないと判定された場合、すなわち、ステップＳ１５１で携帯端末２１から送信されてきたと判定されたコマンドが、再生停止要求コマンドである場合か、不在録画がされたコンテンツが、最後まで再生された場合、CPU４１は、例えば、不在録画がされたコンテンツが放送されていたチャンネルを選択するように、受信部４５（図３）を制御し、処理は、ステップＳ１４３に戻る。
【０２８３】
この場合、受信部４５は、そこに供給されるテレビジョン放送信号から、CPU４１の制御に従ったチャンネルのテレビジョン放送信号を抽出することにより、不在検出時に選択されていたチャンネルで放送されているコンテンツを取得し、デコーダ４６、及び、表示制御部４７を介して、表示部４８に供給して表示させる。
【０２８４】
したがって、ディジタルTV１２では、不在録画がされたコンテンツの再生が、途中で中止されるか、又は、最後まで終了した場合には、その後、そのコンテンツが放送されていたチャンネルで（現に）放送されているコンテンツが表示される。
【０２８５】
一方、ステップＳ１４１において、携帯端末２１（図１）が、ディジタルTV１２の電源をオン状態にするように操作されていないと判定された場合、処理は、ステップＳ１５５に進み、CPU４１（図３）は、ネットワークI/F４４において、他のTVであるディジタルTV１３からの不在情報が受信されたかどうかを判定する。
【０２８６】
ステップＳ１５５において、ネットワークI/F４４が、ディジタルTV１３からの不在情報を受信していないと判定された場合、すなわち、ディジタルTV１３から、不在情報が送信されてきていない場合、処理は、ステップＳ１４１に戻る。
【０２８７】
また、ステップＳ１５５において、ネットワークI/F４４が、ディジタルTV１３からの不在情報を受信したと判定された場合、すなわち、ディジタルTV１３から、不在情報が送信されてきた場合、CPU４１は、ディジタルTV１３からの不在情報に応じて、ディジタルTV１２の電源をオン状態にし、処理は、ステップＳ１４６に進む。
【０２８８】
ステップＳ１４６では、CPU４１が、ディジタルTV１２の動作モードを、省電力モードに設定し、以下、上述の場合と同様の処理が行われる。
【０２８９】
図１２は、復帰モード#2の復帰処理において、レコーダ１１が行う処理を説明するフローチャートである。
【０２９０】
レコーダ１１では、ステップＳ１６１において、CPU３１（図２）が、ディジタルTV１２又は１３から、不在録画を要求する不在録画要求コマンドが送信されてきたかどうかを判定する。
【０２９１】
ステップＳ１６１において、不在録画要求コマンドが送信されてきたと判定された場合、すなわち、レコーダ１１のネットワークI/F３４（図２）において、ディジタルTV１２又は１３からの不在録画要求コマンドを受信した場合、処理は、ステップＳ１６２に進み、CPU３１は、レコーダ１１（図２）の受信部３５、及び、記録再生制御部３６を制御することにより、不在録画要求コマンドに含まれるチャンネルで放送されているコンテンツの、記録媒体３７への記録（不在録画）を開始させ、処理は、ステップＳ１６１に戻る。
【０２９２】
ここで、ステップＳ１６２で開始された、不在録画要求コマンドに含まれるチャンネルで放送されているコンテンツの、記録媒体３７への記録は、そのコンテンツの最後（放送終了時刻）まで行われる。
【０２９３】
一方、ステップＳ１６１において、不在録画要求コマンドが送信されてきていないと判定された場合、処理は、ステップＳ１６３に進み、レコーダ１１のCPU３１（図２）は、ディジタルTV１２又は１３から、不在録画を行ったコンテンツの再生を要求する不在録画コンテンツ再生要求コマンドが送信されてきたかどうかを判定する。
【０２９４】
ステップＳ１６３において、不在録画コンテンツ再生要求コマンドが送信されてきたと判定された場合、すなわち、レコーダ１１のネットワークI/F３４（図２）において、ディジタルTV１２又は１３からの不在録画コンテンツ再生要求コマンドを受信した場合、処理は、ステップＳ１６４に進み、CPU３１（図２）は、レコーダ１１（図２）の記録再生制御部３６を制御することにより、不在録画要求コマンドに応じて記録媒体３７に記録されたコンテンツ（不在録画がされたコンテンツ）を再生させ、ネットワークI/F３４から、ディジタルTV１２及び１３のうちの、不在録画コンテンツ再生要求コマンドを送信してきたTV（ユーザが周囲に存在することが検出されたTV）に送信する（ことを開始する）。
【０２９５】
ここで、レコーダ１１では、不在録画要求コマンドに応じて、記録媒体３７に記録されたコンテンツの再生をするときに、そのコンテンツの不在録画が、まだ行われていることがある。この場合、記録媒体３７へのコンテンツの記録と、そのコンテンツの、記録媒体３７からの再生（読み出し）とを並列に行う必要がある。
【０２９６】
このため、レコーダ１１は、記録媒体３７へのコンテンツの記録と、そのコンテンツの、記録媒体３７からの再生とを（見かけ上）並列に行う機能を有することとする。
【０２９７】
ステップＳ１６４において、記録媒体３７からの、不在録画がされたコンテンツの再生、及び、送信が開始された後は、処理は、ステップＳ１６５に進み、レコーダ１１のCPU３１（図２）は、ディジタルTV１２及び１３のうちの、不在録画コンテンツ再生要求コマンドを送信してきたTVから、再生停止要求コマンドが送信されてきたかどうかを判定する。
【０２９８】
ステップＳ１６５において、再生停止要求コマンドが送信されてきていないと判定された場合、処理は、ステップＳ１６５に戻り、レコーダ１１は、ステップＳ１６４で開始した不在録画がされたコンテンツの再生、及び、送信を続行する。
【０２９９】
また、ステップＳ１６５において、再生停止要求コマンドが送信されてきたと判定された場合、すなわち、レコーダ１１のネットワークI/F３４（図２）において、再生停止要求コマンドを受信した場合、処理は、ステップＳ１６６に進み、CPU３１（図２）は、記録再生制御部３６に、記録媒体３７からの、不在録画がされたコンテンツの再生を停止させ、処理は、ステップＳ１６１に戻る。
【０３００】
なお、レコーダ１１は、その他、不在録画がされたコンテンツの再生が最後まで行われた場合も、その再生を停止する。
【０３０１】
［復帰モード#3の復帰処理］
【０３０２】
図１のホームネットワークシステムで行われる復帰モード#3の復帰処理を説明する。
【０３０３】
復帰モード#3の復帰処理では、上述したように、録画がされたコンテンツを視聴しているユーザが、コンテンツの視聴を中断する行動をとった場合に、録画がされたコンテンツの再生を中断し、その後、ユーザがコンテンツを視聴することができる状態となった場合に、再生が中断されたコンテンツの再生が再開される。
【０３０４】
図１３は、例えば、部屋AにあるディジタルTV１２によって、レコーダ１１（の記録媒体３７（図２））に記録されたコンテンツ（以下、録画コンテンツともいう）を視聴しているユーザが、所用で、一時的に、部屋Aから出て、再び、部屋Aに戻ってきた場合に行われる復帰モード#3の復帰処理を説明する図である。
【０３０５】
例えば、ユーザが、部屋Aにおいて、ディジタルTV１２の電源をオンするように、携帯端末２１（図５）の入出力機構６３Ａを操作すると、ディジタルTV１２（図３）は、電源をオン状態とし、動作モードを通常モードとする。
【０３０６】
そして、その後、例えば、ユーザが、所定の録画コンテンツを再生するように、携帯端末２１（図５）の入出力機構６３Ａを操作すると、携帯端末２１のネットワークI/F６４では、その操作に対応したコマンドが送信される。
【０３０７】
携帯端末２１からのコマンドは、ディジタルTV１２（図３）のネットワークI/F４４で受信され、CPU４１に供給される。
【０３０８】
CPU４１は、ステップＳ１８１において、携帯端末２１からのコマンドに従い、所定の録画コンテンツの再生を要求するコマンド（以下、録画コンテンツ再生要求コマンドともいう）を、ネットワークI/F４４から、レコーダ１１に対して送信する。
【０３０９】
レコーダ１１のCPU３１（図２）は、ディジタルTV１２からの、録画コンテンツ再生要求コマンドを、ネットワークI/F３４を介して受信し、ステップＳ１７１において、その録画コンテンツ再生要求コマンドに応じて、記録再生制御部３６を制御することにより、記録媒体３７に記録された録画コンテンツの再生を開始させる。
【０３１０】
そして、レコーダ１１では、ステップＳ１７２において、記録媒体３７から再生された録画コンテンツが、ネットワークI/F３４から、録画コンテンツ再生要求するコマンドを送信してきたディジタルTV１２に送信される。
【０３１１】
ここで、録画コンテンツ再生要求コマンドには、再生の対象とすべき録画コンテンツを特定する特定情報が含まれており、レコーダ１１では、その特定情報から、再生の対象とすべき録画コンテンツが特定されて再生される。
【０３１２】
ディジタルTV１２では、ステップＳ１８２において、レコーダ１１からの録画コンテンツが、ネットワークI/F４４（図３）で受信され、再生される。
【０３１３】
すなわち、ディジタルTV１２では、レコーダ１１からの録画コンテンツが、ネットワークI/F４４から、デコーダ４６に供給される。デコーダ４６は、ネットワークI/F４４からの録画コンテンツを、必要に応じてデコードし、表示制御部４７に供給する。表示制御部４７は、デコーダ４６からの録画コンテンツを、表示部４８に供給し、表示部４８では、録画コンテンツが表示される。
【０３１４】
以上のように、ディジタルTV１２の表示部４８に録画コンテンツが表示されている場合に、その表示部４８に表示された録画コンテンツを視聴していたユーザが、例えば、所用で、ディジタルTV１２がある部屋Aから出て行き、ディジタルTV１２の周囲からいなくなったとき、検出部４９（図３）では、ステップＳ１８３において、ユーザがディジタルTV１２の周囲に存在しないことが検出される（不在検出が行われる）。
【０３１５】
ディジタルTV１２の表示部４８にコンテンツが表示されている場合に、検出部４９において、不在検出が行われると、ディジタルTV１２のCPU４１は、ステップＳ１８４において、録画コンテンツの再生の停止を要求する再生停止要求コマンドを、ネットワークI/F４４から、レコーダ１１に対して送信する。
【０３１６】
レコーダ１１のCPU３１（図２）は、ディジタルTV１２からの、再生停止要求コマンドを、ネットワークI/F３４を介して受信し、ステップＳ１７３において、その再生停止要求コマンドに応じて、記録再生制御部３６を制御することにより、記録媒体３７に記録された録画コンテンツの再生を停止させる。
【０３１７】
また、ディジタルTV１２のCPU４１は、再生停止要求コマンドを送信した後、ステップＳ１８５において、不在情報を、ネットワークI/F４４から、ネットワーク１０上の他のTVであるディジタルTV１３に送信する。
【０３１８】
さらに、ステップＳ１８６において、ディジタルTV１２のCPU４１は、ディジタルTV１２の動作モードを、通常モードから省電力モードに変更する。
【０３１９】
以上のように、ディジタルTV１２の表示部４８に録画コンテンツが表示されている場合に、検出部４９において、不在検出が行われると、ディジタルTV１２は、レコーダ１１による録画コンテンツの再生を停止（一時停止）させるとともに、他のTVであるディジタルTV１３に不在情報を送信する。
【０３２０】
さらに、ディジタルTV１２は、動作モードを、省電力モードとする。
【０３２１】
したがって、ユーザが視聴していないのに、表示部４８に録画コンテンツが表示され、無駄な電力が消費されることを防止することができる。
【０３２２】
ディジタルTV１３では、ディジタルTV１２から不在情報が送信されてくると、ネットワークI/F５４（図４）が、ディジタルTV１２からの不在情報を受信し、CPU５１に供給する。
【０３２３】
ディジタルTV１３のCPU５１は、ステップＳ２０１において、ディジタルTV１２からの不在情報に応じて、ディジタルTV１３の電源をオン状態にし、動作モードを省電力モードとする。
【０３２４】
なお、図６の場合と同様に、ディジタルTV１３において、ディジタルTV１２からの不在情報の受信時に、ディジタルTV１３の電源がオン状態になっており、動作モードが通常モードになっているときには、部屋BにあるディジタルTV１３で、コンテンツを視聴している他のユーザが存在する可能性が高いので、部屋Bの他のユーザのコンテンツの視聴を妨げるのを防止するために、CPU５１は、ステップＳ２０１の処理を行わない。
【０３２５】
さらに、図６の場合と同様に、ディジタルTV１３において、ディジタルTV１２からの不在情報の受信時に、ディジタルTV１３の電源がオン状態になっているが、動作モードが省電力モードになっているときには、CPU５１は、ステップＳ２０１の処理を行わない（行う必要がない）。
【０３２６】
ユーザが、ディジタルTV１２の周囲に存在しないことが検出され、ディジタルTV１２及び１３の動作モードが省電力モードになった後、ユーザが、例えば、用事を済ませて、ディジタルTV１２がある部屋Aに戻ってくると、ステップＳ１８７において、ディジタルTV１２（図３）の検出部４９が、ユーザが存在することを検出する（人検出が行われる）。
【０３２７】
ディジタルTV１２の検出部４９において、ユーザが存在することが検出されると、ステップＳ１８８において、ディジタルTV１２のCPU４１は、ディジタルTV１２の動作モードを、省電力モードから通常モードに変更する。
【０３２８】
さらに、CPU４１は、ステップＳ１８９において、直前に再生を停止した録画コンテンツの再生の再開を要求するコマンド（以下、再生再開要求コマンドともいう）を、ネットワークI/F４４から、レコーダ１１に送信する。
【０３２９】
レコーダ１１のCPU３１（図２）は、ディジタルTV１２からの、再生再開要求コマンドを、ネットワークI/F３４を介して受信し、ステップＳ１７４において、その再生再開要求コマンドに応じて、記録再生制御部３６を制御することにより、記録媒体３７からの、直前に再生を停止した録画コンテンツの再生を再開させる。
【０３３０】
すなわち、レコーダ１１では、録画コンテンツの、再生を停止したシーンからの再生が開始される。
【０３３１】
そして、レコーダ１１では、ステップＳ１７５において、記録媒体３７から再生が再開された録画コンテンツが、ネットワークI/F３４から、再生再開要求コマンドを送信してきたディジタルTV１２に送信される。
【０３３２】
ディジタルTV１２では、ステップＳ１９０において、レコーダ１１からの録画コンテンツが、ネットワークI/F４４（図３）で受信され、再生される。
【０３３３】
すなわち、ディジタルTV１２では、レコーダ１１からの録画コンテンツが、ネットワークI/F４４から、デコーダ４６に供給される。デコーダ４６は、ネットワークI/F４４からの録画コンテンツを、必要に応じてデコードし、表示制御部４７に供給する。表示制御部４７は、デコーダ４６からの録画コンテンツを、表示部４８に供給し、これにより、表示部４８では、録画コンテンツが、不在検出がされたときのシーンから表示される。
【０３３４】
以上のようにして、ディジタルTV１２における、コンテンツの提示（表示）の状態が、ユーザが部屋Aから出ていったときの状態に復帰した復帰状態となる。
【０３３５】
すなわち、ユーザが戻ってきた部屋AのディジタルTV１２では、ユーザが、部屋Aを出て行ったときに視聴していた録画コンテンツの続きのシーン（ユーザが、部屋Aを出て行ったときにディジタルTV１２で表示されていたシーン）から、録画コンテンツが表示される。
【０３３６】
したがって、ユーザは、省電力モードとなったディジタルTV１２の操作を、特に行わずに、ディジタルTV１２がある部屋Aから出て行く直前に視聴していた録画コンテンツの続きのシーンからの視聴を再開することができる。
【０３３７】
図１４は、例えば、部屋AにあるディジタルTV１２によって、レコーダ１１に記録された録画コンテンツを視聴しているユーザが、所用で、部屋Aから出て行き、部屋Aに戻らずに、部屋Bに行った場合に行われる復帰モード#3の復帰処理を説明する図である。
【０３３８】
例えば、ユーザが、部屋Aにおいて、ディジタルTV１２の電源をオンするように、携帯端末２１（図５）の入出力機構６３Ａを操作し、さらに、所定の録画コンテンツを再生するように、携帯端末２１（図５）の入出力機構６３Ａを操作すると、図１３の場合と同様に、ディジタルTV１２は、電源をオン状態とし、動作モードを通常モードとする。
【０３３９】
さらに、ディジタルTV１２のCPU４１（図３）は、ステップＳ２２１において、録画コンテンツ再生要求コマンドを、ネットワークI/F４４から、レコーダ１１に対して送信する。
【０３４０】
レコーダ１１のCPU３１（図２）は、ディジタルTV１２からの、録画コンテンツ再生要求コマンドを、ネットワークI/F３４を介して受信し、その録画コンテンツ再生要求コマンドに応じて、図１３の場合と同様の処理を行う。
【０３４１】
すなわち、CPU３１は、ステップＳ２１１において、記録再生制御部３６を制御することにより、記録媒体３７に記録された録画コンテンツの再生を開始させる。
【０３４２】
さらに、CPU３１は、ステップＳ２１２において、記録媒体３７から再生された録画コンテンツを、ネットワークI/F３４から、録画コンテンツ再生要求するコマンドを送信してきたディジタルTV１２に送信する。
【０３４３】
ディジタルTV１２では、ステップＳ２２２において、レコーダ１１からの録画コンテンツが、ネットワークI/F４４（図３）で受信されて再生され、表示部４８において表示される。
【０３４４】
以上のように、ディジタルTV１２の表示部４８に録画コンテンツが表示されている場合に、その表示部４８に表示された録画コンテンツを視聴していたユーザが、例えば、所用で、ディジタルTV１２がある部屋Aから出て行き、ディジタルTV１２の周囲からいなくなったとき、検出部４９（図３）では、ステップＳ２２３において、ユーザがディジタルTV１２の周囲に存在しないことが検出される（不在検出が行われる）。
【０３４５】
ディジタルTV１２の表示部４８にコンテンツが表示されている場合に、検出部４９において、不在検出が行われると、ディジタルTV１２では、ステップＳ２２４ないしＳ２２６において、図１３のステップＳ１８４ないしＳ１８６と同様の処理が行われる。
【０３４６】
すなわち、ディジタルTV１２のCPU４１は、ステップＳ２２４において、録画コンテンツの再生の停止を要求する再生停止要求コマンドを、ネットワークI/F４４から、レコーダ１１に対して送信する停止制御を行う。
【０３４７】
レコーダ１１のCPU３１（図２）は、ディジタルTV１２からの、再生停止要求コマンドを、ネットワークI/F３４を介して受信し、ステップＳ２１３において、その再生停止要求コマンドに応じて、記録再生制御部３６を制御することにより、記録媒体３７に記録された録画コンテンツの再生を停止させる。
【０３４８】
また、ディジタルTV１２のCPU４１は、ステップＳ２２５において、不在情報を、ネットワークI/F４４から、ネットワーク１０上の他のTVであるディジタルTV１３に送信する。
【０３４９】
さらに、CPU４１は、ステップＳ２２６において、ディジタルTV１２の動作モードを、通常モードから省電力モードに変更する。
【０３５０】
以上のように、ディジタルTV１２の表示部４８に録画コンテンツが表示されている場合に、検出部４９において、不在検出が行われると、ディジタルTV１２は、レコーダ１１による録画コンテンツの再生を停止（一時停止）させる停止制御を行うとともに、他のTVであるディジタルTV１３に不在情報を送信する。
【０３５１】
さらに、ディジタルTV１２は、動作モードを、省電力モードとする。
【０３５２】
したがって、ユーザが視聴していないのに、表示部４８に録画コンテンツが表示され、無駄な電力が消費されることを防止することができる。
【０３５３】
ディジタルTV１３では、ディジタルTV１２から不在情報が送信されてくると、ネットワークI/F５４（図４）が、ディジタルTV１２からの不在情報を受信し、CPU５１に供給する。
【０３５４】
ディジタルTV１３のCPU５１は、ステップＳ２３１において、図１３のステップＳ２０１と同様に、ディジタルTV１２からの不在情報に応じて、ディジタルTV１３の電源をオン状態にし、動作モードを省電力モードとする。
【０３５５】
ユーザが、ディジタルTV１２の周囲に存在しないことが検出され、ディジタルTV１２及び１３の動作モードが省電力モードになった後、ユーザが、例えば、用事を済ませたが、ディジタルTV１２がある部屋Aに戻らず、ディジタルTV１３がある部屋Bに行ったとすると、ステップＳ２３２において、ディジタルTV１３（図４）の検出部５９が、ユーザが存在することを検出する（人検出が行われる）。
【０３５６】
ディジタルTV１３の検出部５９において、ユーザが存在することが検出されると、ステップＳ２３３において、ディジタルTV１３（図４）のCPU５１は、ディジタルTV１３の動作モードを、省電力モードから通常モードに変更する。
【０３５７】
さらに、CPU５１は、ステップＳ２３４において、直前に再生を停止した録画コンテンツの再生の再開を要求する再生再開要求コマンドを、ネットワークI/F５４から、レコーダ１１に送信する。
【０３５８】
レコーダ１１のCPU３１（図２）は、ディジタルTV１３からの、再生再開要求コマンドを、ネットワークI/F３４を介して受信し、ステップＳ２１４において、その再生再開要求コマンドに応じて、記録再生制御部３６を制御することにより、記録媒体３７からの、直前に再生を停止した録画コンテンツの再生を再開させる。
【０３５９】
すなわち、レコーダ１１では、録画コンテンツの、再生を停止したシーンからの再生が開始される。
【０３６０】
そして、レコーダ１１では、ステップＳ２１５において、記録媒体３７から再生が再開された録画コンテンツが、ネットワークI/F３４から、再生再開要求コマンドを送信してきたディジタルTV１３に送信される。
【０３６１】
ディジタルTV１３では、ステップＳ２３５において、レコーダ１１からの録画コンテンツが、ネットワークI/F５４（図４）で受信され、再生される。
【０３６２】
すなわち、ディジタルTV１３では、表示部５８（図４）において、ディジタルTV１２による停止制御としての再生停止要求コマンドの送信によって再生が停止された録画コンテンツが、不在検出がされたときのシーンから表示される。
【０３６３】
これにより、部屋BにあるディジタルTV１３における、コンテンツの提示（表示）の状態が、ユーザが部屋Aから出ていったときの、ディジタルTV１２における、コンテンツの提示の状態に復帰した復帰状態となる。
【０３６４】
すなわち、ユーザが行った部屋BのディジタルTV１３では、ユーザが、部屋Aを出て行ったときに視聴していた録画コンテンツの続きのシーン（ユーザが、部屋Aを出て行ったときにディジタルTV１２で表示されていたシーン）から、録画コンテンツが表示される。
【０３６５】
以上のように、ディジタルTV１３（図４）では、ネットワークI/F５４において、ディジタルTV１２からの不在情報を受信した後、検出部５９において、ユーザが存在することが検出された場合に、不在検出が行われたディジタルTV１２の停止制御によって停止指された録画コンテンツの再生を再開され、表示部５８に表示される。
【０３６６】
したがって、ユーザは、録画コンテンツを視聴していた部屋Aに戻ることなく、かつ、部屋Bにおいて、その部屋BにあるディジタルTV１３の操作を、特に行わずに、ディジタルTV１２がある部屋Aから出て行く直前に視聴していた録画コンテンツの続きのシーンからの視聴を再開することができる。
【０３６７】
以上のように、部屋BにあるディジタルTV１３における、コンテンツの提示の状態が、ユーザが部屋Aから出ていったときの状態に復帰した復帰状態となるので、不在検出に応じて、動作モードが省電力モードになるだけの場合よりも、ディジタルTV１２及び１３の利便性を向上させることができる。
【０３６８】
図１５は、復帰モード#3の復帰処理において、ディジタルTV１２が行う処理を説明するフローチャートである。
【０３６９】
なお、ディジタルTV１３も、ディジタルTV１２と同様の処理を行う。
【０３７０】
ディジタルTV１２（図３）のCPU４１は、ステップＳ２４１において、携帯端末２１（図１）が、ディジタルTV１２の電源をオン状態にするように操作されたかどうかを判定する。
【０３７１】
ステップＳ２４１において、携帯端末２１が、ディジタルTV１２の電源をオン状態にするように操作されたと判定された場合、ディジタルTV１２のCPU４１は、ディジタルTV１２の電源をオン状態にし、処理は、ステップＳ２４２に進む。
【０３７２】
ステップＳ２４２では、CPU４１は、ディジタルTV１２の動作モードを通常モードに設定し、処理は、ステップＳ２４３に進む。
【０３７３】
ステップＳ２４３では、CPU４１は、所定の録画コンテンツを再生するように、携帯端末２１（図１）が操作されたかどうかを判定し、携帯端末２１が、そのように操作されていないと判定した場合、処理は、ステップＳ２４３に戻る。
【０３７４】
また、ステップＳ２４３において、所定の録画コンテンツを再生するように、携帯端末２１が操作されたと判定された場合、処理は、ステップＳ２４４に進み、CPU４１は、所定の録画コンテンツの再生を要求する録画コンテンツ再生要求コマンドを、ネットワークI/F４４から、レコーダ１１に対して送信する。
【０３７５】
そして、録画コンテンツ再生要求コマンドを受信したレコーダ１１から、録画コンテンツが送信されてくるのを待って、処理は、ステップＳ２４４からステップＳ２４５に進み、ディジタルTV１２は、レコーダ１１からの録画コンテンツを、ネットワークI/F４４（図３）で受信して再生し、表示部４８に表示させる。
【０３７６】
以上のように、ディジタルTV１２において、録画コンテンツの表示が開始されると、処理は、ステップＳ２４５からステップＳ２４６に進み、CPU４１（図３）は、ユーザがディジタルTV１２の周囲に存在しないことが検出されたかどうかを判定する。
【０３７７】
ステップＳ２４６において、ユーザがディジタルTV１２の周囲に存在しないことが検出されていないと判定された場合、すなわち、検出部４９（図３）において、不在検出が行われなかった場合、処理は、ステップＳ２４７に進み、CPU４１（図３）は、録画コンテンツの再生を停止するように、又は、ディジタルTV１２の電源をオフ状態にするように、携帯端末２１（図１）が操作されたかどうかを判定する。
【０３７８】
すなわち、ステップＳ２４７では、携帯端末２１から、ディジタルTV１２に対して、録画コンテンツの再生の停止を要求する再生停止要求コマンド、又は、ディジタルTV１２の電源をオフ状態にすることを要求する電源オフ要求コマンドが送信されてきたかどうかを判定する。
【０３７９】
ステップＳ２４７において、再生停止要求コマンド、及び、電源オフ要求コマンドのいずれも送信されてきていないと判定された場合、処理は、ステップＳ２４８に進み、CPU４１（図３）は、ステップＳ２４５で再生が開始（又は、再開）された、録画コンテンツが、その最後まで再生されたかどうかを判定する。
【０３８０】
ステップＳ２４８において、録画コンテンツが、まだ、最後まで再生されていないと判定された場合、処理は、ステップＳ２４６に戻る。
【０３８１】
また、ステップＳ２４８において、録画コンテンツが、最後まで再生されたと判定された場合、処理は、ステップＳ２４３に戻る。
【０３８２】
一方、ステップＳ２４７において、携帯端末２１から、ディジタルTV１２に対して、再生停止要求コマンド、又は、電源オフ要求コマンドのうちのいずれかが送信されてきたと判定された場合、処理は、ステップＳ２４９に進み、CPU４１（図３）は、ネットワークI/F４４から、レコーダ１１に対して、再生停止要求コマンドを送信し、処理は、ステップＳ２５０に進む。
【０３８３】
ここで、レコーダ１１は、再生停止要求コマンドが送信されてくると、その再生停止要求コマンドに従い、録画コンテンツの再生を停止する。
【０３８４】
ステップＳ２５０では、CPU４１（図３）は、ユーザが、ディジタルTV１２の電源をオフ状態にするように、携帯端末２１（図１）を操作したかどうかを判定する。
【０３８５】
ステップＳ２５０において、ディジタルTV１２の電源をオフ状態にするように、携帯端末２１が操作されたと判定された場合、すなわち、ステップＳ２４７で携帯端末２１から送信されてきたと判定されたコマンドが、電源オフ要求コマンドである場合、CPU４１は、ディジタルTV１２の電源をオフ状態にして、処理は、ステップＳ２４１に戻る。
【０３８６】
また、ステップＳ２５０において、ディジタルTV１２の電源をオフ状態にするように、携帯端末２１が操作されていないと判定された場合、すなわち、ステップＳ２４７で携帯端末２１から送信されてきたと判定されたコマンドが、再生停止要求コマンドである場合、処理は、ステップＳ２４３に戻る。
【０３８７】
一方、ステップ２４６において、ユーザがディジタルTV１２の周囲に存在しないことが検出されたと判定された場合、すなわち、検出部４９（図３）において、不在検出が行われた場合、処理は、ステップＳ２５１に進み、CPU４１（図３）は、ステップＳ２４５で再生（又は、再生の再開）が開始された録画コンテンツの再生の停止を要求する再生停止要求コマンドを、ネットワークI/F４４から、レコーダ１１に対して送信する停止制御を行う。
【０３８８】
その後、処理は、ステップＳ２５１からステップＳ２５２に進み、CPU４１は、ネットワークI/F４４から、ネットワーク１０上の他のTVであるディジタルTV１３に対して、不在情報を送信させ、処理は、ステップＳ２５３に進む。
【０３８９】
ステップＳ２５３では、CPU４１が、ディジタルTV１２の動作モードを、通常モードから省電力モードに変更し、処理は、ステップＳ２５４に進む。
【０３９０】
ディジタルTV１２の動作モードが省電力モードに変更されることにより、ディジタルTV１２は、表示部４８での録画コンテンツの表示を停止し、必要最小限の電力で動作する状態となる。
【０３９１】
以上のように、ディジタルTV１２の動作モードが省電力モードとなった後、ステップＳ２５４において、CPU４１は、ユーザが周囲に存在することが検出されたかどうかを判定する。
【０３９２】
ステップＳ２５４において、ユーザが周囲に存在することが検出されていないと判定された場合、処理は、ステップＳ２５４に戻る。
【０３９３】
ここで、以上のように、ディジタルTV１２は、ステップＳ２５３において、動作モードが省電力モードとなった場合には、タイマを動作させ、省電力モードとなってからの時間を計時する。そして、省電力モードとなってから、ステップＳ２５４において、ユーザが検出されたと判定されずに、例えば、１時間等の所定の時間が経過した場合には、ディジタルTV１２は、ディジタルTV１２の電源をオフ状態にして、処理は、ステップＳ２４１に戻る。
【０３９４】
一方、ステップＳ２５４において、ユーザが周囲に存在することが検出されたと判定された場合、すなわち、検出部４９（図３）において、ユーザが周囲に存在することが検出された場合、処理は、ステップＳ２５５に進み、CPU４１は、ディジタルTV１２の動作モードを、省電力モードから通常モードに変更し、処理は、ステップＳ２５６に進む。
【０３９５】
ステップＳ２５６では、CPU４１は、停止制御によって再生が停止された録画コンテンツの再生の再開を要求する再生再開要求コマンドを、ネットワークI/F４４から、レコーダ１１に送信する。
【０３９６】
そして、再生再開要求コマンドを受信したレコーダ１１から、ディジタルTV１２又は１３の停止制御によって再生が停止された録画コンテンツが送信されてくるのを待って、処理は、ステップＳ２５６からステップＳ２４５に戻り、ディジタルTV１２は、レコーダ１１からのコンテンツを、ネットワークI/F４４（図３）で受信して再生し、表示部４８に、録画コンテンツを表示させる。
【０３９７】
すなわち、表示部４８では、録画コンテンツの表示が再開される。
【０３９８】
録画コンテンツの表示の再開の開始後、処理は、ステップＳ２４５からステップＳ２４６に進み、以下、同様の処理が繰り返される。
【０３９９】
一方、ステップＳ２４１において、携帯端末２１（図１）が、ディジタルTV１２の電源をオン状態にするように操作されていないと判定された場合、処理は、ステップＳ２５７に進み、CPU４１（図３）は、ネットワークI/F４４において、他のTVであるディジタルTV１３からの不在情報が受信されたかどうかを判定する。
【０４００】
ステップＳ２５７において、ネットワークI/F４４が、ディジタルTV１３からの不在情報を受信していないと判定された場合、すなわち、ディジタルTV１３から、不在情報が送信されてきていない場合、処理は、ステップＳ２４１に戻る。
【０４０１】
また、ステップＳ２５７において、ネットワークI/F４４が、ディジタルTV１３からの不在情報を受信したと判定された場合、すなわち、ディジタルTV１３から、不在情報が送信されてきた場合、CPU４１は、ディジタルTV１３からの不在情報に応じて、ディジタルTV１２の電源をオン状態にし、処理は、ステップＳ２５３に進む。
【０４０２】
ステップＳ２５３では、CPU４１が、ディジタルTV１２の動作モードを、省電力モードに設定し、以下、上述の場合と同様の処理が行われる。
【０４０３】
図１６は、復帰モード#3の復帰処理において、レコーダ１１が行う処理を説明するフローチャートである。
【０４０４】
レコーダ１１では、ステップＳ２６１において、CPU３１（図２）が、録画コンテンツの再生を要求する録画コンテンツ再生要求コマンドが送信されてきたかどうかを判定する。
【０４０５】
ステップＳ２６１において、録画コンテンツ再生要求コマンドが送信されてきていないと判定された場合、処理は、ステップＳ２６１に戻る。
【０４０６】
ステップＳ２６１において、録画コンテンツ再生要求コマンドが送信されてきたと判定された場合、すなわち、レコーダ１１のネットワークI/F３４（図２）において、ディジタルTV１２又は１３からの録画コンテンツ再生要求コマンドを受信した場合、処理は、ステップＳ２６２に進み、CPU３１（図２）は、レコーダ１１（図２）の記録再生制御部３６を制御することにより、記録媒体３７に記録された録画コンテンツのうちの、録画コンテンツ再生要求コマンドによって再生が要求されている録画コンテンツを再生させ、ネットワークI/F３４から、ディジタルTV１２及び１３のうちの、不在録画コンテンツ再生要求コマンドを送信してきたTVに送信する（ことを開始する）。
【０４０７】
ステップＳ２６２において、記録媒体３７からの録画コンテンツの再生、及び、送信が開始された後は、ステップＳ２６３に進み、レコーダ１１のCPU３１（図２）は、ディジタルTV１２及び１３のうちの、録画コンテンツ再生要求コマンドを送信してきたTVから、再生停止要求コマンドが送信されてきたかどうかを判定する。
【０４０８】
ステップＳ２６３において、再生停止要求コマンドが送信されてきていないと判定された場合、処理は、ステップＳ２６４に進み、CPU３１は、ステップＳ２６２で再生が開始された録画コンテンツが、その最後まで再生されたかどうかを判定する。
【０４０９】
ステップＳ２６４において、録画コンテンツが、まだ、最後まで再生されていないと判定された場合、処理は、ステップＳ２６３に戻り、レコーダ１１は、ステップＳ２６２で開始した録画コンテンツの再生、及び、送信を続行する。
【０４１０】
また、ステップＳ２６４において、録画コンテンツが、最後まで再生されたと判定された場合、処理は、ステップＳ２６１に戻る。
【０４１１】
一方、ステップＳ２６３において、再生停止要求コマンドが送信されてきたと判定された場合、すなわち、レコーダ１１のネットワークI/F３４（図２）において、再生停止要求コマンドを受信した場合、処理は、ステップＳ２６５に進み、CPU３１（図２）は、記録再生制御部３６に、記録媒体３７からの録画コンテンツの再生を停止させ、処理は、ステップＳ２６７に進む。
【０４１２】
ステップＳ２６７では、レコーダ１１は、CPU３１（図２）が、録画コンテンツの再生の再開を要求する再生再開要求コマンドが送信されてきたかどうかを判定する。
【０４１３】
ステップＳ２６７において、再生再開要求コマンドが送信されてきていないと判定された場合、処理は、ステップＳ２６７に戻る。
【０４１４】
また、ステップＳ２６７において、再生再開要求コマンドが送信されてきたと判定された場合、すなわち、レコーダ１１のネットワークI/F３４（図２）において、ディジタルTV１２又は１３からの再生再開要求コマンドを受信した場合、処理は、ステップＳ２６８に進み、CPU３１（図２）は、レコーダ１１の記録再生制御部３６を制御することにより、記録媒体３７に記録された録画コンテンツの再生を、直前に再生が停止されたシーンから再開させ、ネットワークI/F３４から、ディジタルTV１２及び１３のうちの、再生再開要求コマンドを送信してきたTVに送信する（ことを開始する）。
【０４１５】
ステップＳ２６８において、記録媒体３７からの録画コンテンツの再生、及び、送信が再開された後は、ステップＳ２６９に進み、レコーダ１１のCPU３１（図２）は、ディジタルTV１２及び１３のうちの、再生再開要求コマンドを送信してきたTVから、再生停止要求コマンドが送信されてきたかどうかを判定する。
【０４１６】
ステップＳ２６９において、再生停止要求コマンドが送信されてきたと判定された場合、すなわち、レコーダ１１のネットワークI/F３４（図２）において、再生停止要求コマンドを受信した場合、処理は、ステップＳ２７１に進み、CPU３１（図２）は、記録再生制御部３６に、記録媒体３７からの録画コンテンツの再生を停止させ、処理は、ステップＳ２６７に戻る。
【０４１７】
また、ステップＳ２６９において、再生停止要求コマンドが送信されてきていないと判定された場合、処理は、ステップＳ２７０に進み、CPU３１は、ステップＳ２６８で再生が開始された録画コンテンツが、その最後まで再生されたかどうかを判定する。
【０４１８】
ステップＳ２７０において、録画コンテンツが、まだ、最後まで再生されていないと判定された場合、処理は、ステップＳ２６９に戻り、レコーダ１１は、ステップＳ２６８で再生が再開された録画コンテンツの再生、及び、送信を続行する。
【０４１９】
また、ステップＳ２７０において、録画コンテンツが、最後まで再生されたと判定された場合、処理は、ステップＳ２６１に戻る。
【０４２０】
なお、上述の場合には、ユーザが周囲に存在しなくなったことを検出した場合に、ディジタルTV１２や１３の動作モードを、通常モードから省電力モードに変更し、その後、ユーザが周囲に存在することを検出した場合に、動作モードを、省電力モードから通常モードに変更して、コンテンツの提示の状態を、復帰状態にすることとしたが、その他、例えば、ユーザの顔を撮影した画像に基づき、ユーザの目が開いているか、又は、閉じているかによって、ユーザが就寝したか、又は、起床したかを検出し、ユーザが就寝したことを検出した場合に、ディジタルTV１２や１３の動作モードを、通常モードから省電力モードに変更し、その後、ユーザが起床したことを検出した場合に、動作モードを、省電力モードから通常モードに変更して、コンテンツの提示の状態を、復帰状態にすることができる。
【０４２１】
また、図１のホームネットワークシステムにおいて、いずれの復帰モードの復帰処理を行うかは、例えば、ユーザによる携帯端末２１の操作に応じて決定することができる。
【０４２２】
その他、例えば、ユーザが、ディジタルTV１２や１３で、コンテンツとして、現に放送されているテレビジョン放送番組を視聴する場合において、ネットワーク１０上に、レコーダ１１（又は、レコーダ１１と同様の録画再生機能を有する装置）が存在しないときには、復帰モード#1の復帰処理を行い、ネットワーク１０上に、レコーダ１１が存在するときには、復帰モード#2の復帰処理を行うことができる。
【０４２３】
また、例えば、ユーザが、ディジタルTV１２や１３で、録画コンテンツを視聴する場合には、復帰モード#3の復帰処理を行うことができる。
【０４２４】
［携帯端末２１の第２の構成例］
【０４２５】
図１７は、図１の携帯端末２１の第２の構成例を示すブロック図である。
【０４２６】
なお、図中、図５の場合と対応する部分については、同一の符号を付してあり、以下では、その説明は、適宜省略する。
【０４２７】
図１７の携帯端末２１は、CPU６１ないしアンテナ６４Ａを有する点で、図５の場合と共通する。
【０４２８】
但し、図１７の携帯端末２１は、検出部６５を、さらに有する点で、図５の場合と相違する。
【０４２９】
検出部６５は、携帯端末２１を携帯するユーザの移動（携帯端末２１の移動）を検出する。
【０４３０】
検出部６５において、携帯端末２１を携帯するユーザの移動を検出する方法としては、任意の方法を採用することができる。
【０４３１】
例えば、検出部６５では、アンテナ６４Ａで受信される、アクセスポイント１４からの信号の強度を測定し、その強度（の変化）によって、携帯端末２１を携帯するユーザの移動を検出することができる。
【０４３２】
また、例えば、ディジタルTV１２及び１３等から、光や電波等の無線の信号を出力させ、検出部６５では、その信号の強度を測定し、その強度によって、携帯端末２１を携帯するユーザの移動を検出することができる。
【０４３３】
さらに、例えば、検出部６５では、GPS(Global Positioning System)を利用して、携帯端末２１を携帯するユーザの移動を検出することができる。
【０４３４】
図１７に示したように構成される携帯端末２１を有する図１のホームネットワークシステムでは、上述したように、ディジタルTV１２や１３において、ユーザが周囲に存在するかどうかを検出することにより、上述した復帰処理を行うことができる他、図１７の携帯端末２１が有する検出部６５において、（携帯端末２１を携帯する）ユーザの移動を検出することにより、復帰処理を行うことができる。
【０４３５】
なお、図１７の携帯端末２１が有する検出部６５において、ユーザの移動を検出することにより、復帰処理を行う場合には、ディジタルTV１２（図３）は、検出部４９を設けずに構成することができる。同様に、ディジタルTV１３（図４）も、検出部５９を設けずに構成することができる。
【０４３６】
図１７の携帯端末２１が有する検出部６５において、ユーザの移動を検出することにより行われる復帰処理は、ディジタルTV１２や１３において、ユーザが周囲に存在するかどうかを検出することにより行われていた処理が、携帯端末２１がユーザの移動を検出することによりディジタルTV１２や１３に送信するコマンドに応じて行われる点が、ディジタルTV１２や１３において、ユーザが周囲に存在するかどうかを検出することにより行われる復帰処理と異なる。
【０４３７】
したがって、図１７の携帯端末２１がユーザの移動を検出する場合において、ディジタルTV１２及び１３が行う処理の内容は、ユーザが周囲に存在するかどうかの検出を行わないこと、及び、携帯端末２１からのコマンドに応じて行われることを除き、ディジタルTV１２や１３において、ユーザが周囲に存在するかどうかを検出する場合と同様である。
【０４３８】
以下、図１７の携帯端末２１が有する検出部６５において、ユーザの移動を検出することにより行われる復帰処理の詳細について説明する。
【０４３９】
［復帰モード#1の復帰処理］
【０４４０】
図１７の携帯端末２１（が有する検出部６５）において、ユーザの移動を検出する場合の、図１のホームネットワークシステムで行われる復帰モード#1の復帰処理を説明する。
【０４４１】
図１８は、例えば、部屋AにあるディジタルTV１２によって、あるチャンネルで放送されているコンテンツを視聴しているユーザが、所用で、部屋Aから出て行き、部屋Aに戻らずに、部屋Bに行った場合に行われる復帰モード#1の復帰処理を説明する図である。
【０４４２】
例えば、ユーザが、部屋Aにおいて、ディジタルTV１２の電源をオンするように、携帯端末２１（図１７）の入出力機構６３Ａを操作すると、ステップＳ３０１において、携帯端末２１のCPU６１（図１７）は、ネットワークI/F６４から、入出力機構６３Ａの操作に対応したコマンドを送信する。
【０４４３】
携帯端末２１からのコマンドは、ディジタルTV１２（図３）のネットワークI/F４４で受信され、CPU４１に供給される。
【０４４４】
CPU４１は、ステップＳ３１１において、携帯端末２１からのコマンドに従い、ディジタルTV１２の電源をオン状態にし、動作モードを通常モードとする。
【０４４５】
その後、ユーザが、所定のチャンネルを選択するように、携帯端末２１（図１７）の入出力機構６３Ａを操作すると、ステップＳ３０２において、携帯端末２１は、その操作に対応したコマンドを送信する。
【０４４６】
携帯端末２１からのコマンドは、ディジタルTV１２（図３）のネットワークI/F４４で受信され、CPU４１に供給される。
【０４４７】
CPU４１は、携帯端末２１からのコマンドに従い、所定のチャンネルを選択するように、受信部４５を制御する。
【０４４８】
この場合、ディジタルTV１２では、受信部４５が、そこに供給されるテレビジョン放送信号から、CPU４１の制御に従った所定のチャンネルのテレビジョン放送信号を抽出することにより、その所定のチャンネルで放送されているコンテンツを取得する。
【０４４９】
受信部４５が取得したコンテンツは、デコーダ４６、及び、表示制御部４７を介して、表示部４８に供給されて表示される。
【０４５０】
これにより、ユーザは、コンテンツを視聴することができる。
【０４５１】
以上のように、ディジタルTV１２の表示部４８にコンテンツが表示されている場合に、その表示部４８に表示されたコンテンツを視聴していたユーザが、例えば、所用で、ディジタルTV１２がある部屋Aから出て行き、ディジタルTV１２の周囲からいなくなったとき、携帯端末２１の検出部６５（図１７）では、ステップＳ３０３において、ユーザがディジタルTV１２の周囲から移動したことが検出される（移動検出が行われる）。
【０４５２】
ディジタルTV１２の表示部４８にコンテンツが表示されている場合に、検出部６５において、移動検出が行われると、ステップＳ３０４において、携帯端末２１のCPU６１（図１７）は、ディジタルTV１２の表示部４８に表示されたコンテンツを視聴していたユーザが、ディジタルTV１２の周囲から移動したことが検出されたときのディジタルTV１２の状態を表す状態情報を生成し、メモリ６２（図１７）に記憶させる。
【０４５３】
その後、ステップＳ３０５において、携帯端末２１のCPU６１は、ネットワークI/F６４を制御し、移動検出が行われるまでユーザがコンテンツを視聴していたディジタルTV１２と、それ以外の、ネットワーク１０上のTV（ディジタルTV１２以外のTVすべて）であるディジタルTV１３に、動作モードを省電力モードとすることを要求するコマンド（以下、省電力モードコマンドともいう）を送信する。
【０４５４】
ディジタルTV１２及び１３は、携帯端末２１から、省電力モードコマンドが送信されてくると、その省電力モードコマンドを受信する。
【０４５５】
そして、ステップＳ３１３において、ディジタルTV１２のCPU４１（図３）は、携帯端末２１からの省電力モードコマンドに応じて、ディジタルTV１２の動作モードを、省電力モードとする。
【０４５６】
さらに、ステップＳ３２１において、ディジタルTV１３のCPU５１（図４）は、携帯端末２１からの省電力モードコマンドに応じて、ディジタルTV１３の動作モードを、省電力モードとする。
【０４５７】
以上のように、ディジタルTV１２の表示部４８にコンテンツが表示されている場合に、検出部６５において、移動検出が行われると、ディジタルTV１２は、動作モードを、省電力モードとする。
【０４５８】
したがって、ユーザが視聴していないのに、表示部４８にコンテンツが表示され、無駄な電力が消費されることを防止することができる。
【０４５９】
ユーザが、ディジタルTV１２の周囲から移動したことが検出され、ディジタルTV１２及び１３の動作モードが省電力モードになった後、ユーザが、例えば、用事を済ませ、ディジタルTV１２がある部屋Aに戻らず、ディジタルTV１３がある部屋Bに行ったとすると、ステップＳ３０６において、携帯端末２１の検出部６５（図１７）が、ユーザがディジタルTV１３の周囲に移動したことを検出する（到着検出が行われる）。
【０４６０】
携帯端末２１の検出部６５において、ユーザがディジタルTV１３（移動検出の直前にユーザの近くにあったディジタルTV１２以外のTV）の周囲に到着したことが検出されると、ステップＳ３０７において、携帯端末２１のCPU６１（図１７）は、ネットワークI/F６４を制御し、到着検出時にユーザの近くにあるディジタルTV１３に、動作モードを通常モードとすることを要求するコマンド（以下、通常モードコマンドともいう）を、ステップＳ３０４でメモリ６２に記憶した状態情報を含めて送信する。
【０４６１】
ディジタルTV１３は、携帯端末２１から、通常モードコマンドが送信されてくると、その通常モードコマンドを受信する。
【０４６２】
そして、ステップＳ３２２において、ディジタルTV１３のCPU５１（図４）は、携帯端末２１からの通常モードコマンドに応じて、ディジタルTV１３の動作モードを、通常モードとする。
【０４６３】
さらに、CPU５１は、ステップＳ３２３において、携帯端末２１からの通常モードコマンドに含まれる状態情報に従って、その状態情報が表すチャンネルを選択するように、受信部５５（図４）を制御する。
【０４６４】
受信部５５は、そこに供給されるテレビジョン放送信号から、CPU５１の制御に従った所定のチャンネルのテレビジョン放送信号を抽出することにより、ユーザがディジタルTV１２の周囲から移動したときの移動検出時に、ディジタルTV１２で選択されていたチャンネルで放送されているコンテンツを取得し、デコーダ５６、及び、表示制御部５７を介して、表示部５８に供給して表示させる。
【０４６５】
以上のように、ディジタルTV１２でコンテンツを視聴していたユーザの移動が検出され、その後、ユーザがディジタルTV１３の周囲に移動したことが検出された場合に、携帯端末２１は、移動前のディジタルTV１２で表示されていたコンテンツが、移動先のディジタルTV１３（図４）の受信部５５で取得され、表示部５８で表示されるように、ディジタルTV１３を遠隔制御する。
【０４６６】
これにより、部屋BにあるディジタルTV１３における、コンテンツの提示（表示）の状態が、ユーザが部屋Aから出ていったときの状態（に近い状態）に復帰した復帰状態となる。
【０４６７】
したがって、部屋AにあるディジタルTV１２でコンテンツを視聴していたユーザは、部屋Bに行った場合に、その部屋BにあるディジタルTV１３の操作を、特に行わずに、ディジタルTV１２がある部屋Aから出て行く直前にコンテンツを視聴していたチャンネルで放送されているコンテンツの視聴を再開することができる。
【０４６８】
以上のように、部屋BにあるディジタルTV１３における、コンテンツの提示の状態が、ユーザが部屋Aから出ていったときの状態に復帰した復帰状態となるので、ディジタルTV１２及び１３の利便性を向上させることができる。
【０４６９】
図１９は、復帰モード#1の復帰処理において、図１７の携帯端末２１が行う処理を説明するフローチャートである。
【０４７０】
なお、ディジタルTV１２及び１３のうちの、携帯端末２１の近くにある方のTVを、以下、適宜、制御対象TVともいう。
【０４７１】
携帯端末２１のCPU６１（図１７）は、ステップＳ３３１において、入出力機構６３Ａが、制御対象TVに対して、所定の処理を要求するように操作（ボタン操作）されたかどうかを判定する。
【０４７２】
ここで、ステップＳ３３１の処理が行われるときには、制御対象TVは、電源がオン状態で、動作モードが通常モードとなっており、所定のチャンネルで放送されているコンテンツが表示されていることとする。
【０４７３】
ステップＳ３３１において、入出力機構６３Ａが操作されたと判定された場合、処理は、ステップＳ３３２に進み、CPU６１（図１７）は、ネットワークI/F６４から、入出力機構６３Ａの操作に対応するコマンドを、制御対象TVに送信し、処理は、ステップＳ３３１に戻る。
【０４７４】
また、ステップＳ３３１において、入出力機構６３Ａが操作されていないと判定された場合、処理は、ステップＳ３３３に進み、携帯端末２１のCPU６１（図１７）は、ユーザが、制御対象TVの周囲から移動したことを検出したかどうかを判定する。
【０４７５】
ステップＳ３３３において、ユーザが、制御対象TVの周囲から移動したことを検出していないと判定された場合、処理は、ステップＳ３３１に戻る。
【０４７６】
また、ステップＳ３３３において、ユーザが、制御対象TVの周囲から移動したことを検出したと判定された場合、すなわち、検出部６５（図１７）において、移動検出が行われた場合、処理は、ステップＳ３３４に進み、CPU６１（図１７）は、移動検出直前の、制御対象TVの状態情報を生成し、メモリ６２に記憶して、処理は、ステップＳ３３５に進む。
【０４７７】
ステップＳ３３５では、CPU６１は、ネットワークI/F６４から、ネットワーク１０（図１）上のすべてのディジタルTV１２及び１３に、省電力モードコマンドを送信し、処理は、ステップＳ３３６に進む。
【０４７８】
ステップＳ３３６では、携帯端末２１のCPU６１（図１７）は、ユーザが、ネットワーク１０上のディジタルTV１２及び１３のうちのいずれかの周囲に到着したことを検出したかどうかを判定する。
【０４７９】
ステップＳ３３６において、ユーザが、ネットワーク１０上のディジタルTV１２及び１３のうちのいずれかの周囲に到着したことを検出していないと判定された場合、処理は、ステップＳ３３６に戻る。
【０４８０】
また、ステップＳ３３６において、ユーザが、ネットワーク１０上のディジタルTV１２及び１３のうちのいずれかの周囲に到着したことを検出したと判定された場合、すなわち、検出部６５において、到着検出が行われ、したがって、ユーザ、ひいては、ユーザが携帯する携帯端末２１の近くに、ディジタルTV１２又は１３がある場合、処理は、ステップＳ３３７に進み、携帯端末２１のCPU６１（図１７）は、ディジタルTV１２及び１３のうちの、到着検出時にユーザの近くにある方を、制御対象TVとして、その制御対象TVに対し、メモリ６２に記憶された状態情報を含む通常モードコマンドを、ネットワークI/F６４から送信して、処理は、ステップＳ３３１に戻る。
【０４８１】
ここで、携帯端末２１からの通常モードコマンドを受信した制御対象TVでは、動作モードが、通常モードとなり、その通常モードコマンドに含まれる状態情報に従って、その状態情報が表すチャンネルで放送されているコンテンツが表示される。
【０４８２】
［復帰モード#2の復帰処理］
【０４８３】
図１７の携帯端末２１において、ユーザの移動を検出する場合の、図１のホームネットワークシステムで行われる復帰モード#2の復帰処理を説明する。
【０４８４】
図２０は、例えば、部屋AにあるディジタルTV１２によって、あるチャンネルで放送されているコンテンツを視聴しているユーザが、所用で、部屋Aから出て行き、部屋Aに戻らずに、部屋Bに行った場合に行われる復帰モード#2の復帰処理を説明する図である。
【０４８５】
例えば、ユーザが、部屋Aにおいて、ディジタルTV１２の電源をオンするように、携帯端末２１（図１７）の入出力機構６３Ａを操作し、さらに、所定のチャンネルを選択するように、入出力機構６３Ａを操作すると、ステップＳ３５１及びＳ３５２において、図１８のステップＳ３０１及びＳ３０２とそれぞれ同様に、携帯端末２１のCPU６１（図１７）は、ネットワークI/F６４から、入出力機構６３Ａの操作に対応したコマンドを送信する。
【０４８６】
携帯端末２１からのコマンドは、ディジタルTV１２（図３）のネットワークI/F４４で受信され、CPU４１に供給される。
【０４８７】
CPU４１は、ステップＳ３６１において、図１８のステップＳ３１１と同様に、携帯端末２１からのコマンドに従い、ディジタルTV１２の電源をオン状態にし、動作モードを通常モードとする。
【０４８８】
さらに、CPU４１は、ステップＳ３６２において、携帯端末２１からのコマンドに従い、所定のチャンネルを選択するように、受信部４５（図３）を制御する。
【０４８９】
これにより、ディジタルTV１２（図３）では、受信部４５で、所定のチャンネルで放送されているコンテンツが取得され、表示部４８に表示される。
【０４９０】
以上のように、ディジタルTV１２の表示部４８にコンテンツが表示されている場合に、その表示部４８に表示されたコンテンツを視聴していたユーザが、例えば、所用で、ディジタルTV１２がある部屋Aから出て行き、ディジタルTV１２の周囲からいなくなったとき、携帯端末２１の検出部６５（図１７）では、ステップＳ３５３において、ユーザがディジタルTV１２の周囲から移動したことが検出される（移動検出が行われる）。
【０４９１】
ディジタルTV１２の表示部４８にコンテンツが表示されている場合に、携帯端末２１の検出部６５において、移動検出が行われると、携帯端末２１のCPU６１は、ステップＳ３５４において、移動検出が行われたときにディジタルTV１２の受信部４５で取得され、表示部４８で表示されていたコンテンツを、レコーダ１１（の記録媒体３７（図２））に記録させる記録制御を行う。
【０４９２】
すなわち、携帯端末２１のCPU６１（図１７）は、ステップＳ３５４において、ネットワークI/F６４から、レコーダ１１に対して、移動検出が行われたときに受信部４５が取得していたコンテンツの録画（不在録画）を要求する不在録画要求コマンドを送信する。
【０４９３】
レコーダ１１のCPU３１（図２）は、携帯端末２１からの、不在録画要求コマンドを、ネットワークI/F３４を介して受信し、ステップＳ３４１において、受信部３５、及び、記録再生制御部３６を制御することにより、携帯端末２１において移動検出が行われたときにディジタルTV１２の受信部４５（図３）で取得されていたコンテンツの、記録媒体３７への記録（不在録画）を開始させる。
【０４９４】
すなわち、携帯端末２１からの不在録画要求コマンドには、携帯端末２１において移動検出が行われたときにディジタルTV１２の受信部４５（図３）で取得されていたコンテンツを放送しているチャンネルと放送終了時刻の情報が含まれており、レコーダ１１の受信部３５（図２）は、不在録画要求コマンドに含まれるチャンネルで放送されているコンテンツを取得し、記録再生制御部３６に供給する。
【０４９５】
記録再生制御部３６は、受信部３５からのコンテンツを、記録媒体３７に記録（不在録画）する。
【０４９６】
ここで、レコーダ１１では、不在録画は、上述したように、ディジタルTV１２からの、不在録画要求コマンドに含まれる放送終了時刻まで行われる。
【０４９７】
携帯端末２１が、不在録画要求コマンドを送信した後、ステップＳ３５５において、図１８のステップＳ３０５と同様に、携帯端末２１のCPU６１は、ネットワークI/F６４を制御し、移動検出が行われるまでユーザがコンテンツを視聴していたディジタルTV１２と、それ以外の、ネットワーク１０上のTVであるディジタルTV１３に、動作モードを省電力モードとすることを要求する省電力モードコマンドを送信する。
【０４９８】
ディジタルTV１２及び１３は、携帯端末２１から、省電力モードコマンドが送信されてくると、その省電力モードコマンドを受信する。
【０４９９】
そして、ステップＳ３６３において、ディジタルTV１２のCPU４１（図３）は、携帯端末２１からの省電力モードコマンドに応じて、ディジタルTV１２の動作モードを、省電力モードとする。
【０５００】
さらに、ステップＳ３７１において、ディジタルTV１３のCPU５１（図４）は、携帯端末２１からの省電力モードコマンドに応じて、ディジタルTV１３の動作モードを、省電力モードとする。
【０５０１】
以上のように、ディジタルTV１２の表示部４８にコンテンツが表示されている場合に、検出部６５において、移動検出が行われると、ディジタルTV１２は、動作モードを、省電力モードとする。
【０５０２】
したがって、ユーザが視聴していないのに、ディジタルTV１２の表示部４８にコンテンツが表示され、無駄な電力が消費されることを防止することができる。
【０５０３】
ユーザが、ディジタルTV１２の周囲から移動したことが検出され、ディジタルTV１２及び１３の動作モードが省電力モードになった後、ユーザが、例えば、用事を済ませ、ディジタルTV１２がある部屋Aに戻らず、ディジタルTV１３がある部屋Bに行ったとすると、ステップＳ３５６において、携帯端末２１の検出部６５（図１７）が、図１８のステップＳ３０６と同様に、ユーザがディジタルTV１３の周囲に移動したことを検出する（到着検出が行われる）。
【０５０４】
携帯端末２１の検出部６５において、ユーザがディジタルTV１３の周囲に到着したことが検出されると、ステップＳ３５７において、携帯端末２１のCPU６１（図１７）は、ネットワークI/F６４を制御し、到着検出時にユーザの近くにあるディジタルTV１３に、動作モードを通常モードとすることを要求する通常モードコマンドを、不在録画が行われている旨を表す不在録画情報を含めて送信することで、携帯端末２１の記録制御によってレコーダ１１（の記録媒体３７（図２））に記録（不在録画）されたコンテンツを表示するように、ディジタルTV１３の遠隔制御を行う。
【０５０５】
ディジタルTV１３は、携帯端末２１から、不在録画情報を含む通常モードコマンドが送信されてくると、その通常モードコマンドを受信する。
【０５０６】
そして、ステップＳ３７２において、ディジタルTV１３のCPU５１（図４）は、携帯端末２１からの通常モードコマンドに応じて、ディジタルTV１３の動作モードを、通常モードとする。
【０５０７】
さらに、CPU５１は、不在録画情報を含む通常モードコマンドを受信した場合には、ステップＳ３７３において、通常モードコマンドに含まれる不在録画情報に応じて、直前に不在録画を行ったコンテンツの再生を要求する不在録画コンテンツ再生要求コマンドを、ネットワークI/F５４から、レコーダ１１に送信する。
【０５０８】
レコーダ１１のCPU３１（図２）は、ディジタルTV１３からの、不在録画コンテンツ再生要求コマンドを、ネットワークI/F３４を介して受信し、ステップＳ３４２において、記録再生制御部３６を制御することにより、記録媒体３７に記録された、不在録画を行ったコンテンツの再生を開始させる。
【０５０９】
そして、レコーダ１１では、ステップＳ３４３において、記録媒体３７から再生されたコンテンツが、ネットワークI/F３４から、不在録画コンテンツ再生要求コマンドを送信してきたディジタルTV１３に送信される。
【０５１０】
ディジタルTV１３では、ステップＳ３７４において、レコーダ１１からのコンテンツが、ネットワークI/F５４（図４）で受信されて再生され、表示部５８に表示される。
【０５１１】
これにより、部屋BにあるディジタルTV１３における、コンテンツの提示（表示）の状態が、ユーザが部屋Aから出ていったときの状態に復帰した復帰状態となる。
【０５１２】
すなわち、ユーザが行った部屋BのディジタルTV１３では、ユーザが、部屋Aを出て行ったときに視聴していたコンテンツの続きのシーンから、コンテンツが表示される。
【０５１３】
以上のように、携帯端末２１では、ユーザが、ディジタルTV１３の周囲に移動したことが検出された場合に、携帯端末２１の記録制御によってレコーダ１１（の記録媒体３７（図２））に記録（不在録画）されたコンテンツを表示するように、ディジタルTV１３を制御する遠隔制御を行う。
【０５１４】
そして、ディジタルTV１３では、携帯端末２１からの遠隔制御、すなわち、不在録画情報を含む通常モードコマンドに応じて、不在録画がされたコンテンツが表示される。
【０５１５】
したがって、ユーザは、コンテンツを視聴していた部屋Aに戻ることなく、かつ、部屋Bにおいて、その部屋BにあるディジタルTV１３の操作を、特に行わずに、ディジタルTV１２がある部屋Aから出て行く直前に視聴していたコンテンツの続きのシーンからの視聴を再開することができ、さらに、ユーザは、部屋Aを出て行ってから、部屋Bに行くまでの間に放送されたシーンを見逃すことなく、視聴することができる。
【０５１６】
以上のように、部屋BにあるディジタルTV１３における、コンテンツの提示の状態が、ユーザが部屋Aから出ていったときの状態に復帰した復帰状態となるので、ディジタルTV１２及び１３の利便性を向上させることができる。
【０５１７】
その後、ユーザが、コンテンツの再生を停止するように、又は、ディジタルTV１３の電源をオフ状態にするように、携帯端末２１（図１）を操作すると、ステップＳ３５８において、その操作に応じて、コンテンツの再生の停止を要求する再生停止要求コマンド、又は電源をオフ状態にすることを要求する電源オフ要求コマンドが、携帯端末２１からディジタルTV１３に送信される。
【０５１８】
さらに、ステップＳ３５８では、再生停止要求コマンドが、携帯端末２１からレコーダ１１に送信される。
【０５１９】
ディジタルTV１３では、ステップＳ３７５において、携帯端末２１からの再生停止要求コマンド、又は、電源オフ要求コマンドに応じて、コンテンツの再生が停止され、又は、ディジタルTV１３の電源がオフ状態にされる。
【０５２０】
また、レコーダ１１では、ステップＳ３４４において、携帯端末２１からの再生停止要求コマンドに応じて、不在録画がされたコンテンツの再生が停止される。
【０５２１】
なお、図２０では、ステップＳ３７３において、ディジタルTV１３から、レコーダ１１に対して、不在録画を行ったコンテンツの再生を要求する不在録画コンテンツ再生要求コマンドを送信するようにしたが、不在録画コンテンツ再生要求コマンドは、その他、例えば、携帯端末２１から、レコーダ１１に対して送信するようにすることができる。
【０５２２】
また、図２０では、ステップＳ３５８において、再生停止要求コマンドを、携帯端末２１から、レコーダ１１に対して送信するようにしたが、再生停止要求コマンドは、ディジタルTV１３において、携帯端末２１からの再生停止要求コマンド、又は、電源オフ要求コマンドが送信されてきたことに応じて、レコーダ１１に送信するようにすることができる。
【０５２３】
図２１は、復帰モード#2の復帰処理において、図１７の携帯端末２１が行う処理を説明するフローチャートである。
【０５２４】
携帯端末２１では、ステップＳ３８１ないしＳ３８３において、図１９のステップＳ３３１ないしＳ３３３とそれぞれ同様の処理が行われる。
【０５２５】
すなわち、携帯端末２１のCPU６１（図１７）は、ステップＳ３８１において、入出力機構６３Ａが、制御対象TV（になっているディジタルTV１２又は１３）に対して、所定の処理を要求するように操作（ボタン操作）されたかどうかを判定する。
【０５２６】
ここで、ステップＳ３８１の処理が行われるときには、制御対象TVでは、電源がオン状態で、動作モードが通常モードとなっており、所定のチャンネルで放送されているコンテンツが表示されていることとする。
【０５２７】
ステップＳ３８１において、入出力機構６３Ａが操作されたと判定された場合、処理は、ステップＳ３８２に進み、CPU６１（図１７）は、ネットワークI/F６４から、入出力機構６３Ａの操作に対応するコマンドを、制御対象TVに送信し、処理は、ステップＳ３８１に戻る。
【０５２８】
また、ステップＳ３８１において、入出力機構６３Ａが操作されていないと判定された場合、処理は、ステップＳ３８３に進み、携帯端末２１のCPU６１（図１７）は、ユーザが、制御対象TVの周囲から移動したことを検出したかどうかを判定する。
【０５２９】
ステップＳ３８３において、ユーザが、制御対象TVの周囲から移動したことを検出していないと判定された場合、処理は、ステップＳ３８１に戻る。
【０５３０】
また、ステップＳ３８３において、ユーザが、制御対象TVの周囲から移動したことを検出したと判定された場合、すなわち、検出部６５（図１７）において、移動検出が行われた場合、処理は、ステップＳ３８４に進み、携帯端末２１のCPU６１（図１７）は、移動検出が行われたときに、制御対象TVで取得されて表示されていたコンテンツを、レコーダ１１（の記録媒体３７（図２））に記録させる不在録画要求コマンドを、ネットワークI/F６４（図１７）から、レコーダ１１に対して送信して、処理は、ステップＳ３８５に進む。
【０５３１】
ステップＳ３８５では、携帯端末２１のCPU６１は、ネットワークI/F６４から、ネットワーク１０（図１）上のすべてのディジタルTV１２及び１３に、省電力モードコマンドを送信し、処理は、ステップＳ３８６に進む。
【０５３２】
ステップＳ３８６では、携帯端末２１のCPU６１（図１７）は、ユーザが、ネットワーク１０上のディジタルTV１２及び１３のうちのいずれかの周囲に到着したことを検出したかどうかを判定する。
【０５３３】
ステップＳ３８６において、ユーザが、ネットワーク１０上のディジタルTV１２及び１３のうちのいずれかの周囲に到着したことを検出していないと判定された場合、処理は、ステップＳ３８６に戻る。
【０５３４】
また、ステップＳ３８６において、ユーザが、ネットワーク１０上のディジタルTV１２及び１３のうちのいずれかの周囲に到着したことを検出したと判定された場合、すなわち、検出部６５において、到着検出が行われ、したがって、ユーザ、ひいては、ユーザが携帯する携帯端末２１の近くに、ディジタルTV１２又は１３がある場合、処理は、ステップＳ３８７に進み、携帯端末２１のCPU６１（図１７）は、ディジタルTV１２及び１３のうちの、到着検出時にユーザの近くにある方を、制御対象TVとして、その制御対象TVに対し、不在録画情報を含む通常モードコマンドを、ネットワークI/F６４から送信して、処理は、ステップＳ３８８に進む。
【０５３５】
ここで、携帯端末２１からの、不在録画情報を含む通常モードコマンドを受信した制御対象TVでは、その通常モードコマンドに応じて、動作モードが通常モードとなり、さらに、その通常モードコマンドに含まれる不在録画情報に応じて、不在録画コンテンツ再生要求コマンドを、レコーダ１１に送信する。これにより、レコーダ１１では、不在録画がされたコンテンツが、制御対象TVに送信され、制御対象TVでは、レコーダ１１からのコンテンツが表示される。
【０５３６】
ステップＳ３８８では、携帯端末２１のCPU６１（図１７）は、コンテンツの再生を停止するように、携帯端末２１が操作されたかどうかを判定する。
【０５３７】
ステップＳ３８８において、コンテンツの再生を停止するように、携帯端末２１が操作されていないと判定された場合、処理は、ステップＳ３８９に進み、携帯端末２１は、レコーダ１１と通信することにより、不在録画がされたコンテンツが、その最後まで再生されたかどうかを判定する。
【０５３８】
ステップＳ３８９において、不在録画がされたコンテンツが、まだ、最後まで再生されていないと判定された場合、処理は、ステップＳ３８８に戻る。
【０５３９】
また、ステップＳ３８８において、コンテンツの再生を停止するように、携帯端末２１が操作されたと判定された場合、処理は、ステップＳ３９０に進み、携帯端末２１のCPU６１（図１７）は、ネットワークI/F６４から、レコーダ１１、及び、制御対象TVに対して、再生停止要求コマンドを送信する。
【０５４０】
そして、ステップＳ３８９において、不在録画がされたコンテンツが、最後まで再生されたと判定された場合と、ステップＳ３９０において、再生停止要求コマンドが送信された後は、携帯端末２１のCPU６１（図１７）は、例えば、不在録画がされたコンテンツが放送されていたチャンネルを選択するように、制御対象TVを制御し、処理は、ステップＳ３８１に戻る。
【０５４１】
［復帰モード#3の復帰処理］
【０５４２】
図１７の携帯端末２１において、ユーザの移動を検出する場合の、図１のホームネットワークシステムで行われる復帰モード#3の復帰処理を説明する。
【０５４３】
図２２は、例えば、部屋AにあるディジタルTV１２によって、レコーダ１１に記録された録画コンテンツを視聴しているユーザが、所用で、部屋Aから出て行き、部屋Aに戻らずに、部屋Bに行った場合に行われる復帰モード#3の復帰処理を説明する図である。
【０５４４】
なお、部屋AにあるディジタルTV１２の電源はオン状態になっており、さらに、動作モードは、通常モードになっていることとする。
【０５４５】
例えば、ユーザが、ディジタルTV１２がある部屋Aにおいて、所定の録画コンテンツを再生するように、携帯端末２１（図１７）の入出力機構６３Ａを操作すると、携帯端末２１のネットワークI/F６４では、その操作に対応して、録画コンテンツ再生要求コマンドが送信される。
【０５４６】
携帯端末２１からの録画コンテンツ再生要求コマンドは、ステップＳ４１１において、レコーダ１１に直接送信され、又は、制御対象TV、すなわち、ユーザがいる部屋AにあるディジタルTV１２を経由して、レコーダ１１に送信される。
【０５４７】
レコーダ１１のCPU３１（図２）は、携帯端末２１からの録画コンテンツ再生要求コマンドを、ネットワークI/F３４を介して受信し、ステップＳ４０１において、その録画コンテンツ再生要求コマンドに応じて、記録再生制御部３６を制御することにより、記録媒体３７に記録された録画コンテンツの再生を開始させる。
【０５４８】
そして、レコーダ１１では、ステップＳ４０２において、記録媒体３７から再生された録画コンテンツが、ネットワークI/F３４から、制御対象TVであるディジタルTV１２に送信される。
【０５４９】
ディジタルTV１２では、ステップＳ４２１において、レコーダ１１からの録画コンテンツが、ネットワークI/F４４（図３）で受信されて再生され、表示部４８に表示される。
【０５５０】
以上のように、ディジタルTV１２の表示部４８に録画コンテンツが表示されている場合に、その表示部４８に表示された録画コンテンツを視聴していたユーザが、例えば、所用で、ディジタルTV１２がある部屋Aから出て行き、ディジタルTV１２の周囲からいなくなったとき、携帯端末２１の検出部６５（図１７）では、ステップＳ４１２において、ユーザがディジタルTV１２の周囲から移動したことが検出される（移動検出が行われる）。
【０５５１】
ディジタルTV１２の表示部４８にコンテンツが表示されている場合に、検出部６５において、移動検出が行われると、携帯端末２１のCPU６１（図１７）は、ステップＳ４１３において、録画コンテンツの再生の停止を要求する再生停止要求コマンドを、ネットワークI/F６４から、直接、又は、制御対象TVであるディジタルTV１２を経由して、レコーダ１１に対して送信する停止制御を行う。
【０５５２】
レコーダ１１のCPU３１（図２）は、携帯端末２１からの、再生停止要求コマンドを、ネットワークI/F３４を介して受信し、ステップＳ４０３において、その再生停止要求コマンドに応じて、記録再生制御部３６を制御することにより、記録媒体３７に記録された録画コンテンツの再生を停止させる。
【０５５３】
また、携帯端末２１のCPU６１は、再生停止要求コマンドを送信した後、ステップＳ４１４において、移動検出が行われるまでユーザが録画コンテンツを視聴していたディジタルTV１２と、それ以外の、ネットワーク１０上のTVであるディジタルTV１３に、動作モードを省電力モードとすることを要求する省電力モードコマンドを送信する。
【０５５４】
ディジタルTV１２及び１３は、携帯端末２１から、省電力モードコマンドが送信されてくると、その省電力モードコマンドを受信する。
【０５５５】
そして、ステップＳ４２２において、ディジタルTV１２のCPU４１（図３）は、携帯端末２１からの省電力モードコマンドに応じて、ディジタルTV１２の動作モードを、省電力モードとする。
【０５５６】
さらに、ステップＳ４３１において、ディジタルTV１３のCPU５１（図４）は、携帯端末２１からの省電力モードコマンドに応じて、ディジタルTV１３の動作モードを、省電力モードとする。
【０５５７】
以上のように、ディジタルTV１２の表示部４８に録画コンテンツが表示されている場合に、検出部６５において、移動検出が行われると、ディジタルTV１２は、動作モードを、省電力モードとする。
【０５５８】
したがって、ユーザが視聴していないのに、ディジタルTV１２の表示部４８にコンテンツが表示され、無駄な電力が消費されることを防止することができる。
【０５５９】
ユーザが、ディジタルTV１２の周囲から移動したことが検出され、ディジタルTV１２及び１３の動作モードが省電力モードになった後、ユーザが、例えば、用事を済ませ、ディジタルTV１２がある部屋Aに戻らず、ディジタルTV１３がある部屋Bに行ったとすると、ステップＳ４１５において、携帯端末２１の検出部６５（図１７）が、ユーザがディジタルTV１３の周囲に移動したことを検出する（到着検出が行われる）。
【０５６０】
携帯端末２１の検出部６５において、ユーザがディジタルTV１３の周囲に到着したことが検出されると、ステップＳ４１６において、携帯端末２１のCPU６１（図１７）は、ネットワークI/F６４を制御し、到着検出時にユーザの近くにあるディジタルTV１３に、動作モードを通常モードとすることを要求する通常モードコマンドを、録画コンテンツの再生が途中まで行われている旨を表す再生途中情報を含めて送信することで、携帯端末２１の停止制御によって再生が停止された録画コンテンツの再生を再開し、その録画コンテンツを表示するように、ディジタルTV１３の遠隔制御を行う。
【０５６１】
ディジタルTV１３は、携帯端末２１から、再生途中情報を含む通常モードコマンドが送信されてくると、その通常モードコマンドを受信する。
【０５６２】
そして、ステップＳ４３２において、ディジタルTV１３のCPU５１（図４）は、携帯端末２１からの通常モードコマンドに応じて、ディジタルTV１３の動作モードを、通常モードとする。
【０５６３】
さらに、ディジタルTV１３のCPU５１は、再生途中情報を含む通常モードコマンドを受信した場合には、ステップＳ４３３において、通常モードコマンドに含まれる再生途中情報に応じて、直前に再生を停止した録画コンテンツの再生の再開を要求する再生再開要求コマンドを、ネットワークI/F５４から、レコーダ１１に送信する。
【０５６４】
レコーダ１１のCPU３１（図２）は、ディジタルTV１３からの、再生再開要求コマンドを、ネットワークI/F３４を介して受信し、ステップＳ４０４において、その再生再開要求コマンドに応じて、記録再生制御部３６を制御することにより、記録媒体３７からの、直前に再生を停止した録画コンテンツの再生を再開させる。
【０５６５】
すなわち、レコーダ１１では、録画コンテンツの、再生を停止したシーンからの再生が開始される。
【０５６６】
そして、レコーダ１１では、ステップＳ４０５において、記録媒体３７から再生が再開された録画コンテンツが、ネットワークI/F３４（図２）から、再生再開要求コマンドを送信してきたディジタルTV１３に送信される。
【０５６７】
ディジタルTV１３では、ステップＳ４３４において、レコーダ１１からの録画コンテンツが受信されて再生され、表示される。
【０５６８】
すなわち、ディジタルTV１３では、表示部５８（図４）において、携帯端末２１による停止制御としての再生停止要求コマンドの送信によって再生が停止された録画コンテンツが、移動検出がされたときのシーンから表示される。
【０５６９】
これにより、部屋BにあるディジタルTV１３における、コンテンツの提示（表示）の状態が、ユーザが部屋Aから出ていったときの状態に復帰した復帰状態となる。
【０５７０】
すなわち、ユーザが行った部屋BのディジタルTV１３では、ユーザが、部屋Aを出て行ったときに視聴していた録画コンテンツの続きのシーンから、録画コンテンツが表示される。
【０５７１】
したがって、ユーザは、録画コンテンツを視聴していた部屋Aに戻ることなく、かつ、部屋Bにおいて、その部屋BにあるディジタルTV１３の操作を、特に行わずに、ディジタルTV１２がある部屋Aから出て行く直前に視聴していた録画コンテンツの続きのシーンからの視聴を再開することができる。
【０５７２】
以上のように、部屋BにあるディジタルTV１３における、コンテンツの提示の状態が、ユーザが部屋Aから出ていったときの状態に復帰した復帰状態となるので、ディジタルTV１２及び１３の利便性を向上させることができる。
【０５７３】
図２３は、復帰モード#3の復帰処理において、携帯端末２１が行う処理を説明するフローチャートである。
【０５７４】
携帯端末２１では、ステップＳ４４１ないしＳ４４３において、図１９のステップＳ３３１ないしＳ３３３とそれぞれ同様の処理が行われる。
【０５７５】
すなわち、携帯端末２１のCPU６１（図１７）は、ステップＳ４４１において、入出力機構６３Ａが、制御対象TV（になっているディジタルTV１２又は１３）に対して、所定の処理を要求するように操作（ボタン操作）されたかどうかを判定する。
【０５７６】
ここで、ステップＳ４４１の処理が行われるときには、制御対象TVは、電源がオン状態で、動作モードが通常モードとなっており、さらに、レコーダ１１において、録画コンテンツが再生され、制御対象TVに表示されていることとする。
【０５７７】
ステップＳ４４１において、入出力機構６３Ａが操作されたと判定された場合、処理は、ステップＳ４４２に進み、CPU６１（図１７）は、ネットワークI/F６４から、入出力機構６３Ａの操作に対応するコマンドを、制御対象TVに送信し、処理は、ステップＳ４４１に戻る。
【０５７８】
また、ステップＳ４４１において、入出力機構６３Ａが操作されていないと判定された場合、処理は、ステップＳ４４３に進み、携帯端末２１のCPU６１（図１７）は、ユーザが、制御対象TVの周囲から移動したことを検出したかどうかを判定する。
【０５７９】
ステップＳ４４３において、ユーザが、制御対象TVの周囲から移動したことを検出していないと判定された場合、処理は、ステップＳ４４１に戻る。
【０５８０】
また、ステップＳ４４３において、ユーザが、制御対象TVの周囲から移動したことを検出したと判定された場合、すなわち、検出部６５（図１７）において、移動検出が行われた場合、処理は、ステップＳ４４４に進み、携帯端末２１のCPU６１（図１７）は、移動検出が行われたときに、制御対象TVで表示されていた再生コンテンツの再生の停止を要求する再生停止要求コマンドを、ネットワークI/F６４（図１７）から、レコーダ１１に対して送信して、処理は、ステップＳ４４５に進む。
【０５８１】
ここで、レコーダ１１は、携帯端末２１から再生停止要求コマンドが送信されてくると、録画コンテンツの再生を停止する。
【０５８２】
ステップＳ４４５では、携帯端末２１のCPU６１は、ネットワークI/F６４から、ネットワーク１０（図１）上のすべてのディジタルTV１２及び１３に、省電力モードコマンドを送信し、処理は、ステップＳ４４６に進む。
【０５８３】
ステップＳ４４６では、携帯端末２１のCPU６１（図１７）は、ユーザが、ネットワーク１０上のディジタルTV１２及び１３のうちのいずれかの周囲に到着したことを検出したかどうかを判定する。
【０５８４】
ステップＳ４４６において、ユーザが、ネットワーク１０上のディジタルTV１２及び１３のうちのいずれかの周囲に到着したことを検出していないと判定された場合、処理は、ステップＳ４４６に戻る。
【０５８５】
また、ステップＳ４４６において、ユーザが、ネットワーク１０上のディジタルTV１２及び１３のうちのいずれかの周囲に到着したことを検出したと判定された場合、すなわち、検出部６５において、到着検出が行われ、したがって、ユーザ、ひいては、ユーザが携帯する携帯端末２１の近くに、ディジタルTV１２又は１３がある場合、処理は、ステップＳ４４７に進み、携帯端末２１のCPU６１（図１７）は、ディジタルTV１２及び１３のうちの、到着検出時にユーザの近くにある方を、制御対象TVとして、その制御対象TVに対し、再生途中情報を含む通常モードコマンドを、ネットワークI/F６４から送信して、処理は、ステップＳ４４１に戻る。
【０５８６】
携帯端末２１からの、再生途中情報を含む通常モードコマンドを受信した制御対象TVでは、その通常モードコマンドに応じて、動作モードが通常モードとなり、さらに、その通常モードコマンドに含まれる再生途中情報に応じて、再生再開要求コマンドを、レコーダ１１に送信する。
【０５８７】
レコーダ１１は、制御対象TVから再生再開要求コマンドが送信されてくると、録画コンテンツの再生を再開し、制御対象TVに送信する。
【０５８８】
制御対象TVでは、レコーダ１１からの録画コンテンツが受信されて表示される。
【０５８９】
なお、携帯端末２１の検出部６５において、到着検出を、例えば、アクセスポイント１４（図１）からの信号の強度によって行う場合には、到着検出を、十分な精度で行うことができないことがあり得る。
【０５９０】
この場合、携帯端末２１では、移動検出が行われたときに、ディジタルTV１２及び１３に対する省電力モードコマンドの送信と、レコーダ１１に対する必要なコマンドの送信とを行い、到着検出が行われたときには、ユーザによる入出力機構６３Ａの操作をトリガとして、制御対象TVに対する通常モードコマンドの送信を行うことができる。
【０５９１】
［携帯端末２１の第３の構成例］
【０５９２】
図２４は、図１の携帯端末２１の第３の構成例を示すブロック図である。
【０５９３】
なお、図中、図５の場合と対応する部分については、同一の符号を付してあり、以下では、その説明は、適宜省略する。
【０５９４】
図２４の携帯端末２１は、CPU６１ないしアンテナ６４Ａを有する点で、図５の場合と共通する。
【０５９５】
但し、図２４の携帯端末２１は、携帯電話通信I/F７１、及び、アンテナ７１Ａ、並びに、特定情報取得部７２を、さらに有する点で、図５の場合と相違する。
【０５９６】
すなわち、図２４では、携帯端末２１は、例えば、携帯電話機であり、その携帯電話機である携帯端末２１が、図５の場合と同様に、リモートコマンダとしての機能と、無線LANクライアントとしての機能とを有している。
【０５９７】
図２４において、携帯電話通信I/F７１は、アンテナ７１Ａを介して、携帯電話の基地局との間で、信号をやりとりすることにより、その基地局との間の通信を制御する。
【０５９８】
特定情報取得部７２は、携帯端末２１のリモートコマンダとしての機能による遠隔制御の対象とする機器（以下、制御対象機器ともいう）となる機器を特定するための情報である特定情報を取得する。
【０５９９】
ここで、ある機器の特定情報としては、その機器の画像や、その機器の周囲の画像等を採用することができる。
【０６００】
この場合、特定情報取得部７２としては、携帯電話機である携帯端末２１が、画像を撮影する（レンズを含む）カメラを内蔵しているときには、そのカメラを利用することができる。
【０６０１】
カメラを利用した特定情報取得部７２は、機器や、その機器の周囲を撮影することで、その機器の画像や、その機器の周囲の画像を、特定情報として取得する。
【０６０２】
なお、図２４の携帯端末２１には、図１７の検出部６５が設けられていないが、検出部６５を設けることが可能である。
【０６０３】
ここで、携帯端末２１が、赤外線によって、コマンドを送信する場合、ユーザが、例えば、部屋Bで、その部屋BにあるディジタルTV１３を遠隔制御するのに、携帯端末２１から送信される赤外線は、部屋Bとは別の部屋AにあるディジタルTV１２に到達しないので、ユーザは、部屋BにあるディジタルTV１３を、制御対象機器として特定しなくても、ディジタルTV１３の遠隔制御を行うことができる。
【０６０４】
一方、携帯端末２１が、無線LANによって、コマンドを送信する場合、そのコマンドは、ネットワーク１０を介して、そのネットワーク１０上のすべての機器、すなわち、図１のホームネットワークシステムでは、レコーダ１１、並びに、ディジタルTV１２及び１３で受信される。
【０６０５】
したがって、ネットワーク１０上の機器のうちの、例えば、ユーザの近くにある機器を、携帯端末２１が送信するコマンドによって遠隔制御を行う制御対象機器として、その制御対象機器の遠隔制御を行うには、ユーザの近くにある機器が、ネットワーク１０上のいずれの機器であるかを特定する必要がある。
【０６０６】
ユーザの目の前にある機器が、ネットワーク上のいずれの機器であるかを特定する方法としては、赤外線の指向性と、ネットワークの利便性との両方を利用する方法が、例えば、特開2006-115196号公報に記載されている。
【０６０７】
特開2006-115196号公報に記載の方法では、リモートコマンダから赤外線で機器検索コマンドが発信され、機器検索コマンドを受け取った機器が、TCP/IPのネットワークを介してリモートコマンダに自分の存在を通知する。
【０６０８】
したがって、特開2006-115196号公報に記載の方法では、制御対象機器となる機器には、赤外線の機器検索コマンドに対応して、ネットワークを介しての通信を開始する機能が必要となる。
【０６０９】
さらに、リモートコマンダ、及び、制御対象機器となる機器のそれぞれに、赤外線による通信の機能と、TCP/IPのネットワークを介した通信の機能との両方が必要となる。
【０６１０】
また、制御対象機器となる機器を特定する方法として、リモートコマンダに設けた方向ボタンを操作することにより、制御対象機器となる機器を指定する方法が、例えば、特開2003-284168号公報に記載されている。
【０６１１】
すなわち、特開2003-284168号公報に記載の方法では、リモートコマンダにおいて、複数の機器の物理的な配置を記述した物理的トポロジマップを作成するために必要な機器の物理的な配置情報が、無線やネットワークの特性を利用して自動的に収集され、その配置情報を用いて、物理的トポロジマップが作成される。そして、リモートコマンダでは、ユーザがリモートコマンダの方向ボタンを見た目の配置どおりに操作すると、その方向ボタンの操作どおりに物理的トポロジマップを参照して辿ることで、制御対象機器となる機器が特定される。
【０６１２】
したがって、特開2003-284168号公報に記載の方法では、遠隔制御を行う前に、リモートコマンダの方向ボタンを操作する必要がある。
【０６１３】
さらに、物理的トポロジマップの作成のため利用される無線やネットワークの機能を、制御対象機器となる機器に設ける必要がある。
【０６１４】
一方、図２４の携帯端末２１では、制御対象機器となる、ネットワーク１０上のレコーダ１１、並びに、ディジタルTV１２及び１３と、リモートコマンダとして機能する携帯端末２１とが、ネットワーク１０を介して通信を行う機能を有し、さらに、携帯端末２１が、携帯電話機であり、その携帯電話機が、カメラを内蔵しているときには、そのカメラを、制御対象機器となる機器を特定するための特定情報を取得する特定情報取得部７２として利用して、制御対象機器となる機器を特定し、その機器の遠隔制御を行うことができる。
【０６１５】
以下、図２４の携帯端末２１の処理を説明する。
【０６１６】
［デバイス情報収集処理］
【０６１７】
図２５は、図２４の携帯端末２１が行うデバイス情報収集処理を説明する図である。
【０６１８】
携帯端末２１は、例えば、リモートコマンダとして機能するように、入出力機構６３Ａ（図２４）が操作されると、あるいは、デバイス情報収集処理を行うように、入出力機構６３Ａが操作されると、ネットワーク１０（図１）上の制御対象機器となる機器の情報であるデバイス情報を収集するデバイス情報収集処理を行う。
【０６１９】
デバイス収集処理では、ステップＳ５０１において、携帯端末２１が、ネットワーク１０上の制御対象機器となる機器（デバイス）を検索するためのサーチ(Search)パケットを、ネットワーク１０上にブロードキャストする。
【０６２０】
携帯端末２１が送信したサーチパケットは、ネットワーク１０上の制御対象機器となるすべての機器であるレコーダ１１、並びに、ディジタルTV１２及び１３で受信される。
【０６２１】
レコーダ１１は、携帯端末２１からのサーチパケットを受信し、ステップＳ５０２において、そのサーチパケットに対する応答としての応答パケットを、ネットワーク１０を介して、携帯端末２１に返す。
【０６２２】
ディジタルTV１２も、携帯端末２１からのサーチパケットを受信し、ステップＳ５０３において、そのサーチパケットに対する応答パケットを、ネットワーク１０を介して、携帯端末２１に返す。
【０６２３】
さらに、ディジタルTV１３も、携帯端末２１からのサーチパケットを受信し、ステップＳ５０４において、そのサーチパケットに対する応答パケットを、ネットワーク１０を介して、携帯端末２１に返す。
【０６２４】
携帯端末２１は、サーチパケットに対して返ってくる応答パケットを受信し、その応答パケットによって、ネットワーク１０上に存在する制御対象機器となるすべての機器であるレコーダ１１、並びに、ディジタルTV１２及び１３（の存在）を認識する。
【０６２５】
そして、携帯端末２１は、ネットワーク１０上に存在する制御対象機器となる各機器に対して、機器の機能や、機器の名称（機器名称）等の、その機器の情報であるデバイス情報の要求を送信する。
【０６２６】
すなわち、携帯端末２１は、ステップＳ５０５において、レコーダ１１に対し、ネットワーク１０を介して、デバイス情報の要求（のパケット）を送信する。
【０６２７】
レコーダ１１は、携帯端末２１からのデバイス情報の要求を受信し、ステップＳ５０６において、そのデバイス情報の要求に対する応答としてのレコーダ１１のデバイス情報を、ネットワーク１０を介して、携帯端末２１に送信する。
【０６２８】
また、携帯端末２１は、ステップＳ５０７において、ディジタルTV１２に対し、ネットワーク１０を介して、デバイス情報の要求を送信する。
【０６２９】
ディジタルTV１２は、携帯端末２１からのデバイス情報の要求を受信し、ステップＳ５０８において、そのデバイス情報の要求に対する応答として、ディジタルTV１２のデバイス情報を、ネットワーク１０を介して、携帯端末２１に送信する。
【０６３０】
さらに、携帯端末２１は、ステップＳ５０９において、ディジタルTV１３に対し、ネットワーク１０を介して、デバイス情報の要求を送信する。
【０６３１】
ディジタルTV１３は、携帯端末２１からのデバイス情報の要求を受信し、ステップＳ５１０において、そのデバイス情報の要求に対する応答として、ディジタルTV１３のデバイス情報を、ネットワーク１０を介して、携帯端末２１に送信する。
【０６３２】
携帯端末２１は、レコーダ１１、並びに、ディジタルTV１２及び１３それぞれからのデバイス情報を受信し、そのデバイス情報を登録したリストである機器リストを作成する。
【０６３３】
そして、携帯端末２１は、機器リストを、メモリ６２（図２４）に記憶させて、デバイス情報収集処理を終了する。
【０６３４】
なお、携帯端末２１と、ネットワーク１０上の制御対象機器となる機器との間の通信には、例えば、UPnP(Universal Plug and Play)や、DLNA(Digital Living Network Alliance)等の既存のプロトコル、あるいは、専用のプロトコルを採用することが可能である。
【０６３５】
また、ネットワーク１０の機器のデバイス情報には、ネットワーク１０上において、機器を識別するアドレス（IP(Internet Protocol)アドレスや、MAC(Media Access Control)アドレス等）が含まれる。
【０６３６】
携帯端末２１において、機器リストが作成された後は、携帯端末２１によって、レコーダ１１、並びに、ディジタルTV１２及び１３の遠隔制御が可能となる。
【０６３７】
すなわち、図２６は、携帯端末２１を、リモートコマンダとして機能させる場合の、携帯端末２１の入出力機構６３Ａ（図２４）に表示される表示画面の例を示す図である。
【０６３８】
図２６Ａは、携帯端末２１の入出力機構６３Ａに表示されるトップのメニュー画面を示す図である。
【０６３９】
図２６Ａのメニュー画面では、「電話」、「インターネット」、「カメラ」、「音楽」、「リモコン」のアイコンが表示されている。
【０６４０】
「電話」のアイコンが、例えば、ユーザによる操作によって選択されると、携帯端末２１は、電話として機能するようになり、「インターネット」のアイコンが選択されると、携帯端末２１は、インターネットのブラウザとして機能するようになる。
【０６４１】
また、「カメラ」のアイコンが選択されると、携帯端末２１は、カメラとして機能するようになり、「音楽」のアイコンが選択されると、携帯端末２１は、音楽プレーヤ（レコーダ）として機能するようになる。
【０６４２】
そして、「リモコン」のアイコンが選択されると、携帯端末２１は、リモートコマンダとして機能するようになる。
【０６４３】
図２６Ｂは、図２６Ａのメニュー画面において、「リモコン」のアイコンが選択された場合に、携帯端末２１の入出力機構６３Ａに表示される、制御対象機器を選択する選択画面の例を示す図である。
【０６４４】
携帯端末２１は、メニュー画面において、「リモコン」のアイコンが選択されると、図２５のデバイス情報収集処理において作成した機器リストを参照して、選択画面を生成して表示する。
【０６４５】
本実施の形態では、携帯端末２１において、図２５で説明したように、レコーダ１１、並びに、ディジタルTV１２及び１３のデバイス情報が登録された機器リストが作成されるので、その機器リストのデバイス情報に応じて、レコーダ１１を表す「レコーダ」のアイコン、ディジタルTV１２を表す「ディジタルTV#1」のアイコン、及び、ディジタルTV１３を表す「ディジタルTV#2」のアイコンが表示された選択画面が生成される。
【０６４６】
携帯端末２１では、図２６Ｂの選択画面に表示されたいずれかのアイコンが、例えば、ユーザによる操作によって選択されると、そのアイコンが表す機器が、制御対象機器として特定され、その制御対象機器の操作に使用するボタンを有する操作パネルが、入出力機構６３Ａに表示される。
【０６４７】
図２６Ｃは、図２６Ｂの選択画面において、「レコーダ」のアイコンが選択された場合に、携帯端末２１の入出力機構６３Ａに表示される操作パネルの例を示す図である。
【０６４８】
図２６Ｃの操作パネルは、「レコーダ」のアイコンが表すレコーダ１１に再生を行わせる「再生」ボタンや、録画を行わせる「録画」ボタン等を有している。
【０６４９】
なお、携帯端末２１において、操作パネルに表示されるボタンは、機器リストに登録されたデバイス情報のうちの、制御対象機器（選択画面（図２６Ｂ）において選択されたアイコンが表す機器）のデバイス情報に応じて決定される。
【０６５０】
したがって、操作パネルに表示されるボタンは、制御対象機器によって異なる。
【０６５１】
図２４の携帯端末２１では、図２６Ａのメニュー画面において、「リモコン」のアイコンが選択された場合に、特定情報取得部７２としてのカメラが起動され、画像の撮影が開始される。
【０６５２】
そして、特定情報取得部７２は、カメラが撮影した画像のうちの所定のタイミングで撮影された画像（静止画）を、いま、制御対象機器となっている機器の特定情報として取得する。
【０６５３】
すなわち、特定情報取得部７２は、例えば、図２６Ｂの選択画面に表示されたいずれかのアイコンが選択されたときにカメラが撮影した画像を、選択画面から選択されたアイコンが表す機器（以下、選択機器ともいう）の特定情報として取得する。
【０６５４】
そして、携帯電話機２１（図２４）のCPU６１は、選択機器の特定情報を、メモリ６２に記憶された機器リストの、選択機器のデバイス情報に対応付けて登録する。
【０６５５】
ここで、機器リストにおいて、デバイス情報に対応付けて登録された特定情報を、登録特定情報ともいう。
【０６５６】
なお、ユーザが、選択画面において、アイコンを選択するときとは、そのアイコンが表す機器（選択機器）の遠隔制御を行おうとしているときであり、ユーザは、選択機器の近くに位置する。
【０６５７】
したがって、ユーザが、選択画面において、アイコンを選択するときに、ユーザが携帯する携帯端末２１の特定情報取得部７２では、選択機器、又は、選択機器の周辺の画像が、特定情報として取得される。
【０６５８】
以上のように、機器リストのデバイス情報と対応付けて登録特定情報が登録された機器については、ユーザは、選択画面（図２６Ｂ）において、その機器を表すアイコンを選択せずに、遠隔制御を行うことが可能となる。
【０６５９】
すなわち、携帯端末２１では、図２６Ａのメニュー画面において、「リモコン」のアイコンが選択された場合、上述したように、特定情報取得部７２としてのカメラが起動され、画像の撮影が開始される。
【０６６０】
そして、携帯端末２１では、特定情報取得部７２（図２４）が、カメラが撮影した画像のうちの１枚以上の画像を、制御対象機器となる機器の特定情報として取得し、CPU６１に供給する。
【０６６１】
CPU６１は、特定情報取得部７２からの特定情報としての画像と、メモリ６２に記憶された機器リストに登録された登録特定情報としての画像とを比較し、特定情報取得部７２からの特定情報としての画像に一致するとみなすことができる登録特定情報としての画像が存在するかどうかを判定する。
【０６６２】
そして、CPU６１は、特定情報取得部７２からの特定情報としての画像に一致するとみなすことができる登録特定情報としての画像が存在する場合、その登録特定情報としての画像に対応付けられているデバイス情報の機器を、制御対象機器として特定し、その制御対象機器の操作パネル（図２６Ｃ）を、入出力機構６３Ａに表示させる。
【０６６３】
一方、特定情報取得部７２からの特定情報としての画像に一致するとみなすことができる登録特定情報としての画像が存在しない場合には、CPU６１は、図２６Ｂの選択画面を、入出力機構６３Ａに表示させる。
【０６６４】
したがって、携帯端末２１では、最初は、図２６Ａのメニュー画面において、「リモコン」のアイコンが選択された後、制御対象機器とする機器を選択するための選択画面（図２６Ｂ）が表示されるが、その後、機器リストに、登録特定情報が登録されるにつれて、選択画面が表示される頻度が少なくなる。
【０６６５】
そして、携帯端末２１では、最終的には、図２６Ａのメニュー画面において、「リモコン」のアイコンが選択された後、携帯端末２１の近くにある機器が、制御対象機器として特定され、選択画面が表示されずに、制御対象機器の操作パネル（図２６Ｃ）が、即座に表示される。
【０６６６】
したがって、ユーザは、選択画面において、近くにある機器を選択する操作をせずに、その機器を、制御対象機器として、携帯端末２１によって遠隔制御を行うことが可能となるので、携帯端末２１の利便性を高めることができる。
【０６６７】
なお、特定情報取得部７２（図２４）では、図２６Ｂの選択画面に表示されたいずれかのアイコンが選択されたときにカメラが撮影した画像を、登録特定情報となる画像として取得する他、ユーザに、登録特定情報となる画像の撮影を促すメッセージを、入出力機構６３Ａに表示し、そのメッセージに応じて、ユーザが、撮影を行うように、携帯端末２１の操作を行ったときにカメラが撮影した画像を、登録特定情報となる画像として取得することができる。
【０６６８】
図２６Ｂの選択画面に表示されたいずれかのアイコンが選択されたときにカメラが撮影した画像、及び、ユーザが、撮影を行うように、携帯端末２１の操作を行ったときにカメラが撮影した画像のうちのいずれを、登録特定情報となる画像として取得するかは、例えば、携帯端末２１に、あらかじめ設定しておくこともできるし、ユーザの操作に応じて、切り替えることもできる。
【０６６９】
また、携帯端末２１において、特定情報取得部７２からの特定情報としての画像と、メモリ６２に記憶された機器リストに登録された登録特定情報としての画像との比較は、図２６Ａのメニュー画面において、「リモコン」のアイコンが選択され、特定情報取得部７２としてのカメラが起動された直後だけ行うこともできるし、携帯端末２１がリモートコマンダとして機能している間、常に行うこともできる。
【０６７０】
さらに、特定情報取得部７２が取得した特定情報としての画像に一致するとみなすことができる登録特定情報としての画像が存在するかどうかの判定は、特定情報取得部７２からの特定情報としての画像と、メモリ６２に記憶された機器リストに登録された登録特定情報としての画像とのそれぞれの画像の全体を比較することによって行うこともできるし、それぞれの画像に映る床や壁等のテクスチャ（色や模様等）だけを比較することによって行うこともできる。
【０６７１】
図２７は、携帯端末２１で生成される機器リストを模式的に示す図である。
【０６７２】
図２７において、機器リストには、３つの機器「ディジタルTV#1」、「ディジタルTV#2」、及び、「レコーダ」のそれぞれについて、デバイス情報としてのMACアドレス、機器名称、及び、機器の機能（機器種別／機能）が登録されている。
【０６７３】
さらに、図２７では、機器「ディジタルTV#1」については、１つの登録特定情報としての画像が、デバイス情報に対応付けて登録されており、機器「ディジタルTV#2」及び「レコーダ」のそれぞれについては、２つの登録特定情報としての画像が、デバイス情報に対応付けて登録されている。
【０６７４】
複数である２つの登録特定情報としての画像が、デバイス情報に対応付けて登録されている、例えば、機器「ディジタルTV#2」については、その２つの登録特定情報としての画像のうちのいずれかが、特定情報取得部７２（図２４）で取得される特定情報としての画像と一致するとみなすことができる場合に、機器「ディジタルTV#2」が、制御対象機器として特定される。
【０６７５】
２つの登録特定情報としての画像が、デバイス情報に対応付けて登録されている機器「レコーダ」についても、同様である。
【０６７６】
図２８は、リモートコマンダの機能に注目した、図２４の携帯端末２１の処理を説明するフローチャートである。
【０６７７】
ステップＳ５２１において、携帯端末２１は、リモートコマンダとして機能するように、入出力機構６３Ａ（図２４）が操作されたかどうかを判定し、操作されていないと判定された場合、処理は、ステップＳ５２１に戻る。
【０６７８】
また、ステップＳ５２１において、リモートコマンダとして機能するように、入出力機構６３Ａが操作されたと判定された場合、すなわち、入出力機構６３Ａに、図２６Ａのメニュー画面が表示され、そのメニュー画面から、「リモコン」のアイコンが選択された場合、処理は、ステップＳ５２２に進み、携帯端末２１は、特定情報取得部７２（図２４）としてのカメラを起動し、画像の撮影を行う。
【０６７９】
そして、特定情報取得部７２は、カメラが撮影した画像を、特定情報として取得し、処理は、ステップＳ５２２からＳ５２３に進み、携帯端末２１は、直前のステップＳ５２２で、特定情報取得部７２が取得した特定情報（以下、取得特定情報ともいう）としての画像と、メモリ６２（図２４）に記憶された機器リストに登録された登録特定情報としての画像とを比較し、処理は、ステップＳ５２４に進む。
【０６８０】
ステップＳ５２４では、携帯端末２１は、ステップＳ５２３での取得特定情報としての画像と、登録特定情報としての画像との比較の結果、取得特定情報としての画像に一致するとみなすことができる登録特定情報としての画像が、機器リストに存在するかどうかを判定する。
【０６８１】
ステップＳ５２４において、取得特定情報としての画像に一致するとみなすことができる登録特定情報としての画像が、機器リストに存在しないと判定された場合、処理は、ステップＳ５２５に進み、携帯端末２１は、図２６Ｂの選択画面を、入出力機構６３Ａに表示する。
【０６８２】
そして、ユーザが、選択画面に表示されたアイコンを選択するのを待って、処理は、ステップＳ５２５からステップＳ５２６に進み、携帯端末２１は、選択画面から選択されたアイコンが表す機器（選択機器）のデバイス情報に、直前のステップＳ５２２で、特定情報取得部７２が取得した特定情報としての画像（カメラ画像）を、登録特定情報として対応付けて、機器リストに登録する。
【０６８３】
その後、処理は、ステップＳ５２６からステップＳ５２７に進み、携帯端末２１は、選択機器を、制御対象機器として特定し、その制御対象機器の操作パネル（図２６Ｃ）を、入出力機構６３Ａに表示させて、処理は、ステップＳ５２８に進む。
【０６８４】
一方、ステップＳ５２４において、取得特定情報としての画像に一致するとみなすことができる登録特定情報としての画像が、機器リストに存在すると判定された場合、処理は、ステップＳ５２７に進み、携帯端末２１は、機器リストにおいて、取得特定情報としての画像（カメラ画像）に一致するとみなすことができる登録特定情報としての画像と対応付けられているデバイス情報の機器を、制御対象機器として特定し、その制御対象機器の操作パネル（図２６Ｃ）を、入出力機構６３Ａに表示させて、処理は、ステップＳ５２８に進む。
【０６８５】
ステップＳ５２８では、携帯端末２１は、ユーザによる操作パネル（図２６Ｃ）の操作に応じて、制御対象機器を遠隔制御するリモートコマンダとして動作し、処理は、ステップＳ５２９に進む。
【０６８６】
ここで、ステップＳ５２８では、制御対象機器の電源がオフ状態になっている場合には、携帯端末２１において、ユーザによる操作パネル（図２６Ｃ）の操作を待たずに、電源をオン状態に要求するコマンドを、制御対象機器に送信することができる。
【０６８７】
この場合、ユーザは、制御対象機器に対して、希望する操作を、即座に行うこと（電源をオン状態にする操作なしで行うこと）が可能となる。
【０６８８】
ステップＳ５２９では、携帯端末２１は、リモートコマンダとしての機能（リモートコマンダ機能）を停止するように、入出力機構６３Ａが操作されたかどうかを判定する。
【０６８９】
ステップＳ５２９において、リモートコマンダ機能を停止するように、入出力機構６３Ａが操作されていないと判定された場合、処理は、ステップＳ５２８に戻る。
【０６９０】
また、ステップＳ５２９において、リモートコマンダ機能を停止するように、入出力機構６３Ａが操作されたと判定された場合、処理は、ステップＳ５２１に戻る。
【０６９１】
以上のように、登録特定情報としての画像が、機器リストに登録された機器については、その登録特定情報としての画像が、特定情報取得部７２で取得される特定情報としての画像と一致するとみなすことができる場合には、制御対象機器として特定され、その制御対象機器の操作パネル（図２６Ｃ）が、入出力機構６３Ａに表示されるので、ユーザは、あたかも目の前の機器専用のリモートコマンダを持っているかのように、その機器の遠隔制御を行うことができる。
【０６９２】
また、本実施の形態では、携帯電話機が内蔵していることが多いカメラを、特定情報取得部７２として利用し、その特定情報取得部７２で取得される画像を、特定情報として用いて、制御対象機器を特定するので、制御対象機器とする機器に依存しない形で、ユーザは、目の前の機器を、制御対象機器として、遠隔制御をすることができる。
【０６９３】
なお、本実施の形態では、選択画面（図２６Ｂ）において、制御対象機器となる機器を選択するときに、登録特定情報としての画像を、カメラで撮影することとしたが、登録特定情報としての画像は、例えば、ユーザが、携帯端末２１や、制御対象機器とする機器のセットアップの作業を行うときに、カメラで撮影することができる。
【０６９４】
また、機器の登録特定情報となる画像としては、その機器を撮影した１枚以上の画像を採用し、登録特定情報として、機器に、あらかじめ保存しておくことができる。この場合、機器にあらかじめ保存された登録特定情報としての画像は、その機器から、ネットワーク１０を介して、携帯端末２１に転送することができ、特定情報取得部７２では、そのようにして転送されてくる画像を、登録特定情報として取得することができる。
【０６９５】
さらに、特定情報としては、制御対象機器とする機器、又は、その機器の周囲の画像の他、GPSによって獲得することができる携帯端末２１の位置の情報や、アクセスポイント１４や、携帯電話の基地局、その他の無線信号の送信装置からの信号の強度（電界強度）等を採用することができる。
【０６９６】
ここで、登録特定情報となる画像を、制御対象機器とする機器に、あらかじめ保存しておき、ネットワーク１０を介して、携帯端末２１に転送して、登録特定情報として用いる場合においては、制御対象機器とする機器には、その機器を、複数のアングルから撮影した複数の画像を、登録特定情報となる画像として保存しておくことが望ましい。
【０６９７】
また、特定情報として、機器の画像を採用する場合には、携帯端末２１において、ユーザに、カメラの撮影方向を、機器の方向に向けるように、注意を喚起するメッセージを表示することができる。携帯電話機２１において、注意を喚起するメッセージを表示するかどうかは、例えば、ユーザの操作に応じて切り替えることができる。
【０６９８】
さらに、本明細書において、コンピュータ(CPU)がプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０６９９】
また、プログラムは、１のコンピュータ（プロセッサ）により処理されるものであっても良いし、複数のコンピュータによって分散処理されるものであっても良い。
【０７００】
なお、本発明の実施の形態は、上述した実施の形態に限定されるものではなく、本発明の要旨を逸脱しない範囲において種々の変更が可能である。
【０７０１】
すなわち、例えば、上述したコンピュータ(CPU)がプログラムに従って行う処理は、専用のハードウェアによって行うことが可能である。
【符号の説明】
【０７０２】
１０  ネットワーク，  １１  レコーダ，  １２，１３  ディジタルTV，  １４  アクセスポイント，  ２１  携帯端末，  ３１  CPU，  ３２  メモリ，  ３３  入出力I/F，  ３４  ネットワークI/F，  ３５  受信部，  ３６  記録再生制御部，  ３７  記録媒体，  ４１  CPU，  ４２  メモリ，  ４３  入出力I/F，  ４４  ネットワークI/F，  ４５  受信部，  ４６  デコーダ，  ４７  表示制御部，  ４８  表示部，  ４９  検出部，  ５１  CPU，  ５２  メモリ，  ５３  入出力I/F，  ５４  ネットワークI/F，  ５５  受信部，  ５６  デコーダ，  ５７  表示制御部，  ５８  表示部，  ５９  検出部，  ６１  CPU，  ６２  メモリ，  ６３  入出力I/F，  ６３Ａ  入出力機構，  ６４  ネットワークI/F，  ６４Ａ  アンテナ，  ６５  検出部，  ７１  携帯電話通信I/F，  ７１Ａ  アンテナ，  ７２  特定情報取得部
【図１】
0005541487.tif 000002
【図２】
0005541487.tif 000003
【図３】
0005541487.tif 000004
【図４】
0005541487.tif 000005
【図５】
0005541487.tif 000006
【図６】
0005541487.tif 000007
【図７】
0005541487.tif 000008
【図８】
0005541487.tif 000009
【図９】
0005541487.tif 000010
【図１０】
0005541487.tif 000011
【図１１】
0005541487.tif 000012
【図１２】
0005541487.tif 000013
【図１３】
0005541487.tif 000014
【図１４】
0005541487.tif 000015
【図１５】
0005541487.tif 000016
【図１６】
0005541487.tif 000017
【図１７】
0005541487.tif 000018
【図１８】
0005541487.tif 000019
【図１９】
0005541487.tif 000020
【図２０】
0005541487.tif 000021
【図２１】
0005541487.tif 000022
【図２２】
0005541487.tif 000023
【図２３】
0005541487.tif 000024
【図２４】
0005541487.tif 000025
【図２５】
0005541487.tif 000026
【図２６】
0005541487.tif 000027
【図２７】
0005541487.tif 000028
【図２８】
0005541487.tif 000029